(57)【要約】      （修正有）【課題】インクジェット印字と輪転印刷の高精度な印刷位置合わせを効率的に行うことができる印刷方法を提供する。【解決手段】印刷対象物Ｗに対してインクジェット印字装置４０により基準見当マークを印刷対象物Ｗに印字する工程と、印刷対象物に対して複数のグラビア印刷ユニット１０ａ、１０ｂ、１０ｃの版胴１１ａ、１１ｂ、１１ｃによりグラビア印刷するとともに見当マークを印刷対象物Ｗに付与する工程と、印刷対象物上Ｗの基準見当マークと、グラビア印刷ユニットから送られた印刷対象物上の見当マークをグラビア印刷ユニット１０ａ、１０ｂ、１０ｃの見当マーク検出センサ１５ａ、１５ｂ、１５ｃによりそれぞれ検出する工程とを備える。見当マーク検出センサ１５ａ、１５ｂ、１５ｃにより検出された印刷対象物Ｗ上の基準見当マークと、見当マークの位置とのずれの大きさを算出し、その算出されたずれの大きさに基づいて、印刷対象物Ｗの位置を調整する。【選択図】図１
2019142232.tif 000002
【特許請求の範囲】
【請求項１】
印刷対象物に対して基準見当マークを印字するインクジェット印字装置と、
前記基準見当マークが印字された印刷対象物に対してグラビア印刷を施すとともに見当マークを前記印刷対象物に付与するグラビア印刷ユニットとを備え、
前記グラビア印刷ユニットは、印刷対象物に対してグラビア印刷を施す版胴と、印刷対象物上の基準見当マークと、見当マークをそれぞれ検出する見当マーク検出センサと、前記印刷対象物の位置を調整する見当マーク位置ずれ調整手段と、前記見当マーク検出センサにより検出された基準見当マークの位置と、見当マークの位置とのずれの大きさを算出し、この算出されたずれ量に基づいて前記見当マーク位置ずれ調整手段を制御する見当制御装置と、
を備えたことを特徴とする印刷機。
【発明の詳細な説明】
【技術分野】
【０００１】
本発明は、印刷の技術分野に関する。特に、インクジェット印字装置を付加したグラビア印刷機等の輪転印刷機を有する印刷機および印刷方法に関する。
【背景技術】
【０００２】
多色印刷機等においては、複数色のインキを印刷対象物の同一領域に１色毎に重ねて印刷しており、色ずれを防止するためには各色の印刷材料どうしを正確に位置合わせして印刷する必要がある。それゆえ、各色の印刷位置を正確に合わせることは、印刷物の品質上極めて重要である。この印刷位置を合わせることを「見当合せ」という。
【０００３】
印刷機において見当合せを行う方法は、印刷対象物の印刷領域外の余白において印刷された見当マークを検出する方法がある。この方法は、印刷対象物に印刷された見当マークを見当マーク検出センサによって検出し、見当マークどうしの相対的な位置関係から各版胴による印刷位置の誤差を検出し、この誤差を補正することで各色間の見当合せを行うものである。
【０００４】
しかしながら、前色ユニットの見当マークを基準にして後色ユニットの見当マークを順次合わせていく方式であるため、第１印刷ユニットが薄色の印刷材料であると、見当マーク検出センサでの検出が不安定化し、高精度な印刷位置合わせを行えないという問題があった。
【０００５】
上記課題を解決するために、印刷対象物に絵柄等の実際に印刷を行う印刷ユニットの上流側の第１印刷ユニットに、見当マークのみを印刷するための版をグラビアシリンダーに装着して印刷領域外の余白に見当マークを印刷する方法がある。
【０００６】
この印刷方法によれば、第１印刷ユニットが薄色の印刷材料であっても、先行して印刷対象物に印刷されていた見当マークを基準として、各色間の高精度な印刷位置合わせを行うことができる。
【０００７】
一方、特許文献１には、グラビア印刷機と、印字内容を電子情報として入力可能なインクジェット方式のデジタルプリンタをインライン形式で設けた印刷装置で印刷及び印字をインラインで連続して行うことを特徴とする印刷方法が提案されている。
【先行技術文献】
【特許文献】
【０００８】
【特許文献１】特開２００１−１９１４７９号公報
【発明の概要】
【発明が解決しようとする課題】
【０００９】
しかしながら、上述した先頭の印刷ユニットに基準となる見当マークのみを印刷するための版を装着する印刷方法では、実際に印刷しない版が余分に必要となるため、追加の版の費用が高く、また、版の取替え作業が余計にかかり、煩雑であるという問題がある。
【００１０】
また、特許文献１の印刷方法では、同一図柄をグラビア印刷機で印刷し、ロット番号等の追加情報をインクジェット方式のデジタルプリンタで印字する印刷方法については開示されているものの、見当合せの課題については解決されていない。
【００１１】
本発明はこのような点を考慮してなされたものであり、インクジェット印字と輪転印刷の高精度な印刷位置合わせを効率的に行うことができる印刷機および印刷方法を提供することを目的とする。
【課題を解決するための手段】
【００１２】
本発明は、印刷対象物に対して基準見当マークを印字するインクジェット印字装置と、前記基準見当マークが印字された印刷対象物に対してグラビア印刷を施すとともに見当マークを前記印刷対象物に付与するグラビア印刷ユニットとを備え、前記グラビア印刷ユニットは、印刷対象物に対してグラビア印刷を施す版胴と、印刷対象物上の基準見当マークと、見当マークをそれぞれ検出する見当マーク検出センサと、前記印刷対象物の位置を調整する見当マーク位置ずれ調整手段と、前記見当マーク検出センサにより検出された基準見当マークの位置と、見当マークの位置とのずれの大きさを算出し、この算出されたずれ量に基づいて前記見当マーク位置ずれ調整手段を制御する見当制御装置と、を備えたことを特徴とする印刷機である。
【００１３】
本発明は、前記インクジェット印字装置は、前記印刷対象物に対して可変情報を更に印字することを特徴とする印刷機である。
【００１４】
本発明は、印刷対象物に対してグラビア印刷を施す複数のグラビア印刷ユニットが設けられていることを特徴とする印刷機である。
【００１５】
本発明は、少なくとも１つのグラビア印刷ユニットは、前記インクジェット印字装置により印字された基準見当マークまたは可変情報の少なくともいずれかを保護するオーバープリント層を前記印刷対象物に付与することを特徴とする印刷機である。
【００１６】
本発明は、印刷対象物に対してインクジェット印字装置を用いて基準見当マークを印字する工程と、前記基準見当マークが印字された印刷対象物に対してグラビア印刷ユニットの版胴によりグラビア印刷を施すとともに見当マークを前記印刷対象物に付与する工程と、前記印刷対象物上の基準見当マークと、見当マークを前記グラビア印刷ユニットの見当マーク検出センサによりそれぞれ検出する工程と、前記見当マーク検出センサにより検出された基準見当マークの位置と、見当マークの位置とのずれの大きさを見当制御装置により算出し、その算出された前記のずれの大きさに基づいて、見当マーク位置ずれ調整手段により印刷対象物の位置を調整する工程と、を備えたことを特徴とする印刷方法である。
【００１７】
本発明は、前記印刷対象物に対して前記インクジェット印字装置を用いて可変情報を更に印字することを特徴とする印刷方法である。
【００１８】
本発明は、複数のグラビア印刷ユニットにより印刷対象物に対してグラビア印刷を施すことを特徴とする印刷方法である。
【００１９】
本発明は、少なくとも１つのグラビア印刷ユニットは、前記インクジェット印字装置により印字された基準見当マークまたは可変情報の少なくともいずれかを保護するオーバープリント層を前記印刷対象物に付与することを特徴とする印刷方法である。
【００２０】
本発明は、インクジェット印字装置と、前記インクジェット印字装置の下流側に設けられた輪転印刷ユニットと、を備えた印刷機であって、前記インクジェット印字装置は、印刷対象物にインクジェット印字見当マークおよび可変情報を付与するプリントヘッドを備え、前記輪転印刷ユニットは、輪転印刷見当マークおよび輪転印刷画像部を前記印刷対象物に付与する版胴と、前記版胴の下流側に設けられ、前記印刷対象物上のインクジェット印字見当マークおよび輪転印刷見当マークを検出する見当マーク検出手段と、見当マーク位置ずれ調整手段と、前記インクジェット印字見当マークおよび基準となる前記輪転印刷見当マークの位置ずれ量を判定し、位置ずれが発生していた場合に前記見当マーク位置ずれ調整手段に位置ずれ量を制御するよう指示する見当制御手段とを有することを特徴とする印刷機である。
【００２１】
本発明は、前記インクジェット印字装置の下流側に複数の輪転印刷ユニットが設けられていることを特徴とする印刷機である。
【００２２】
本発明は、少なくとも１つの輪転印刷ユニットは、前記インクジェット印字装置により印字されたインクジェット印字見当マークまたは可変情報の少なくともいずれかを保護するオーバープリント層を前記印刷対象物に付与することを特徴とする印刷機である。
【００２３】
本発明は、輪転印刷画像部から形成される固定情報と、可変情報を有する印刷物の印刷方法であって、印刷対象物に輪転印刷ユニットの版胴により輪転印刷見当マークおよび前記輪転印刷画像部を印刷する工程と、その輪転印刷見当マークを見当マーク検出手段により検出し、この見当マーク検出手段からの信号に基づいてインクジェット印刷装置によりインクジェット印字見当マークおよび可変情報を前記印刷対象物に付与する工程と、前記輪転印刷見当マークと前記インクジェット印字見当マークを輪転印刷ユニットの見当マーク検出センサによりそれぞれ検出する工程と、前記見当マーク検出センサにより検出された基準となる輪転印刷見当マークと、前記インクジェット印字見当マークとのずれの大きさを第１見当制御装置により算出し、その算出された前記のずれの大きさに基づいて、第１見当マーク位置ずれ調整手段により印刷対象物の位置を調整する工程と、を備えたことを特徴とする印刷方法である。
【００２４】
本発明は、印刷対象物に複数の輪転印刷ユニットの版胴により複数の輪転印刷見当マークおよび複数の前記輪転印刷画像部を印刷するとともに、複数の前記輪転印刷見当マークのうち基準となる輪転印刷見当マークを選択し、選択された基準となる前記輪転印刷見当マークと他の輪転印刷見当マークを複数の輪転印刷ユニットのうち下流側の輪転印刷ユニットの見当マーク検出センサによりそれぞれ検出する工程と、前記見当マーク検出センサにより検出された基準となる輪転印刷見当マークと、他の見当マークとのずれの大きさを第２見当制御装置により算出し、その算出された前記のずれの大きさに基づいて、第２見当マーク位置ずれ調整手段により印刷対象物の位置を調整する工程と、を備えたことを特徴とする印刷方法である。
【００２５】
本発明は、少なくとも１つの輪転印刷ユニットは、前記インクジェット印字装置により印字されたインクジェット印字見当マークまたは可変情報の少なくともいずれかを保護するオーバープリント層を前記印刷対象物に付与することを特徴とする印刷方法である。
【００２６】
本発明は、輪転印刷画像部から形成される固定情報と、可変情報を有する印刷物の印刷方法であって、印刷対象物に輪転印刷ユニットの版胴により輪転印刷見当マークおよび前記輪転印刷画像部を印刷する工程と、前記輪転印刷ユニットの版胴からの回転信号をインクジェット印字装置に入力し、このインクジェット印字装置によりインクジェット印字見当マークおよび可変情報を前記印刷対象物に付与する工程と、前記輪転印刷見当マークと前記インクジェット印字見当マークを輪転印刷ユニットの見当マーク検出センサによりそれぞれを検出する工程と、前記見当マーク検出センサにより検出された基準となる輪転印刷見当マークと、前記インクジェット印字見当マークとのずれの大きさを第１見当制御装置により算出し、その算出された前記のずれの大きさに基づいて、第１見当マーク位置ずれ調整手段により印刷対象物の位置を調整する工程と、を備えたことを特徴とする印刷方法である。
【００２７】
本発明は、印刷対象物に複数の輪転印刷ユニットにより複数の輪転印刷見当マークおよび複数の前記輪転印刷画像部を印刷するとともに、複数の前記輪転印刷見当マークのうち基準となる輪転印刷見当マークを選択し、選択された基準となる前記輪転印刷見当マークと他の輪転印刷見当マークを複数の輪転印刷ユニットのうち下流側の輪転印刷ユニットの見当マーク検出センサによりそれぞれ検出する工程と、前記見当マーク検出センサにより検出された基準となる輪転印刷見当マークと、他の見当マークとのずれの大きさを第２見当制御装置により算出し、その算出された前記のずれの大きさに基づいて、第２見当マーク位置ずれ調整手段により印刷対象物の位置を調整する工程と、を備えたことを特徴とする印刷方法である。
【００２８】
本発明は、少なくとも１つの輪転印刷ユニットは、前記インクジェット印字装置により印字されたインクジェット印字見当マークまたは可変情報の少なくともいずれかを保護するオーバープリント層を前記印刷対象物に付与することを特徴とする印刷方法である。
【００２９】
本発明は、前記インクジェット印字装置と前記グラビア印刷ユニットとの間に、印刷対象物を反転させるターンバーを設けたことを特徴とする印刷機である。
【００３０】
本発明は、前記インクジェット印字装置と前記輪転印刷ユニットとの間に、印刷対象物を反転させるターンバーを設けたことを特徴とする印刷機である。
【００３１】
本発明は、印刷対象物に対して参照マークを付与する参照マーク付与部と、前記印刷対象物に対してインクジェット印字見当マークを印字するインクジェット印字装置と、前記インクジェット印字見当マークが印字された印刷対象物に対して輪転印刷画像部および輪転印刷見当マークを前記印刷対象物に付与する輪転印刷ユニットとを備え、前記輪転印刷ユニットは、印刷対象物に対して輪転印刷画像部および輪転印刷見当マークを付与する版胴と、印刷対象物上のインクジェット印字見当マークと、輪転印刷見当マークをそれぞれ検出する見当マーク検出センサと、印刷対象物の位置を調整する見当マーク位置ずれ調整手段と、前記見当マーク検出センサにより検出されたインクジェット印字見当マークの位置と、輪転印刷見当マークの位置とのずれの大きさを算出し、この算出されたずれ量に基づいて前記見当マーク位置ずれ調整手段を制御する見当制御装置と、を備えたことを特徴とする印刷機である。
【００３２】
本発明は、前記参照マーク付与部は、印刷対象物に対して印刷により参照マークを付与する参照マーク印刷部からなることを特徴とする印刷機である。
【００３３】
本発明は、前記参照マーク付与部は、印刷対象物に対して打抜加工により参照マークを付与する打抜加工部からなることを特徴とする印刷機である。
【００３４】
本発明は、前記参照マーク付与部は、印刷対象物の少なくとも一層に対して打抜加工を施して参照マークを付与する打抜加工部からなり、打抜加工部とインクジェット印字装置との間に、印刷対象物の打抜加工が施された一層上に追加層を積層する積層部を設けたことを特徴とする印刷機である。
【００３５】
本発明は、前記参照マーク付与部と前記インクジェット印字装置との間に参照マークを検出する参照マーク検出部を設け、この検出信号に基づいてインクジェット印字見当マークを印字することを特徴とする印刷機である。
【００３６】
本発明は、印刷対象物に対して参照マーク付与部により参照マークを付与する工程と、前記印刷対象物に対してインクジェット印字装置を用いてインクジェット印字見当マークを印字する工程と、前記インクジェット印字見当マークが印字された印刷対象物に対して輪転印刷ユニットの版胴により輪転印刷画像部および輪転印刷見当マークを前記印刷対象物に付与する工程と、前記印刷対象物上のインクジェット印字見当マークと、輪転印刷見当マークを前記輪転印刷ユニットの見当マーク検出センサによりそれぞれ検出する工程と、前記見当マーク検出センサにより検出されたインクジェット印字見当マークの位置と、輪転印刷見当マークの位置とのずれの大きさを見当制御装置により算出し、その算出された前記のずれの大きさに基づいて、見当マーク位置ずれ調整手段により印刷対象物の位置を調整する工程と、を備えたことを特徴とする印刷方法である。
【００３７】
本発明は、前記参照マーク付与部により印刷対象物に付された参照マークを参照マーク検出部により検出し、この検出信号に基づいてインクジェット印字見当マークを印字することを特徴とする印刷方法である。
【００３８】
本発明は、印刷対象物に対して参照マークを付与する参照マーク付与部と、前記参照マーク付与部の下流側に設けられたインクジェット印字装置と、前記インクジェット印字装置の下流側に設けられた輪転印刷ユニットと、を備えた印刷機であって、前記インクジェット印字装置は、前記参照マークを参照マーク検出部により検出し、この信号に基づいて印刷対象物に可変情報を付与するプリントヘッドを備え、前記輪転印刷ユニットは、輪転印刷見当マークおよび輪転印刷画像部を前記印刷対象物に付与する版胴と、前記印刷対象物上の参照マークおよび輪転印刷見当マークを検出する見当マーク検出手段と、見当マーク位置ずれ調整手段と、前記参照マークおよび前記輪転印刷見当マークの位置ずれ量を判定し、位置ずれが発生していた場合に前記見当マーク位置ずれ調整手段に位置ずれ量を制御するよう指示する見当制御手段とを備えたことを特徴とする印刷機である。
【００３９】
本発明は、輪転印刷画像部から形成される固定情報と、可変情報を有する印刷物の印刷方法であって、印刷対象物に対して参照マークを付与する参照マーク付与工程と、前記参照マークを参照マーク検出部により検出し、この信号に基づいてインクジェット印刷装置により可変情報を前記印刷対象物に付与する工程と、印刷対象物に輪転印刷ユニットの版胴により輪転印刷見当マークおよび前記輪転印刷画像部を印刷する工程と、前記輪転印刷見当マークと前記参照マークを見当マーク検出センサによりそれぞれ検出する工程と、前記見当マーク検出センサにより検出された輪転印刷見当マークと、前記参照マークとのずれの大きさを見当制御装置により算出し、その算出された前記のずれの大きさに基づいて、見当マーク位置ずれ調整手段により印刷対象物の位置を調整する工程と、を備えたことを特徴とする印刷方法である。
【発明の効果】
【００４０】
本発明によれば、インクジェット印字と輪転印刷の高精度な印刷位置合わせを効率的に行うことが可能な印刷機および印刷方法を提供することができる。
【図面の簡単な説明】
【００４１】
【図１】本発明の第１−１実施形態による印刷機の構成を示す概略図である。
【図２】本発明の第１−１実施形態による見当合わせ装置の構成を示す概略図である。
【図３】図１の印刷機によって絵柄印刷された印刷対象物の概略平面図である。
【図４】本発明の第１−１実施形態による見当制御の過程を示すフロー図である。
【図５】本発明の第１−２実施形態による印刷機の構成を示す概略図である。
【図６】本発明の第１−３実施形態による印刷機の構成を示す概略図である。
【図７】本発明の第２−１実施形態によるブランクの製造方法を示す全体のフロー図である。
【図８】本発明の第２−１実施形態による印刷機の側面図である。
【図９】本発明の第２−１実施形態の変形例の印刷機の側面図である。
【図１０】固定情報と可変情報と見当マークが形成されたシート材Ｗの一例を説明する図である。
【図１１】図１０のシート材Ｗの製品部を打ち抜くことにより形成されたブランクを示す概略図である。
【図１２】本発明の第２−１実施形態の第１輪転印刷ユニットでの見当制御方法を説明するフロー図である。
【図１３】本発明の第２−１実施形態の第２輪転印刷ユニットでの見当制御方法を説明するフロー図である。
【図１４】本発明の第２−１実施形態の変形例の第３輪転印刷ユニットでの見当制御方法を説明するフロー図である。
【図１５】本発明の第２−１実施形態の変形例の第１輪転印刷ユニットでの見当制御方法を説明するフロー図である。
【図１６】本発明の第２−１実施形態の変形例の第２輪転印刷ユニットでの見当制御方法を説明するフロー図である。
【図１７】本発明の第２−２実施形態の印刷機の側面図である。
【図１８】本発明の第２−２実施形態の印刷機の輪転印刷部の概略を示す平面図である。
【図１９】印刷工程で固定情報と可変情報と見当マークが形成されたシート材Ｗを示す図である。
【図２０】印刷工程で固定情報と可変情報と見当マークが形成されたシート材Ｗの変形例を示す図である。
【図２１】図２１（ａ）（ｂ）（ｃ）は本発明の第３−１実施形態を示す図。
【図２２】図２２（ａ）（ｂ）は本発明の第３−１実施形態を示す図。
【図２３】図２３は本発明の第３−１実施形態を示すフローチャート。
【図２４】図２４（ａ）（ｂ）は本発明の第３−２実施形態を示す図。
【図２５】図２５（ａ）（ｂ）（ｃ）（ｄ）は本発明の第３−２実施形態を示す図。
【図２６】図２６は本発明の第３−３実施形態を示すフローチャート。
【図２７】図２７はターンバーを示す図。
【発明を実施するための形態】
【００４２】
＜１−１実施形態＞
本発明の実施形態は、印刷対象物に対して印字ユニットのインクジェット印字装置のプリントヘッドを用いて基準見当マークを前記印刷対象物に印字する工程と、前記印刷対象物に対して複数のグラビア印刷ユニットの各版胴によりグラビア印刷を施すとともに見当マークを前記印刷対象物に付与する工程と、前記印刷対象物上の基準見当マークと、前記グラビア印刷ユニットから送られた前記印刷対象物上の見当マークを前記グラビア印刷ユニットの見当マーク検出センサによりそれぞれ検出する工程と、前記見当マーク検出センサにより検出された前記印刷対象物上における前記印字ユニットで付された基準見当マークの位置と、前記グラビア印刷ユニットで付された見当マークの位置とのずれの大きさを見当制御装置により算出し、その算出された前記のずれの大きさに基づいて、前記印刷対象物の位置を調整する工程と、を順次行うことを特徴とする印刷方法である。
【００４３】
以下、図面を参照して本発明の実施の形態について説明する。なお、本明細書に添付する図面においては、図示と理解のしやすさの便宜上、適宜縮尺及び縦横の寸法比等を、実物のそれらから変更し誇張してある。
【００４４】
〔印刷機の全体構成〕
図１は本発明の第１実施形態による印刷機の構成を示す概略図である。
【００４５】
図１に示すように、インクジェット印字装置とグラビア印刷機をインライン形式で設けた印刷機の基本的な構成は、給紙部１と、印刷部２と、巻取部３を備える。
【００４６】
このうち印刷部２は、インフィードユニット２０と、インクジェット印字装置４０を有する印字ユニット４０ａと、グラビア印刷ユニット１０ａ、１０ｂ、１０ｃを備える。図１において、Ｗは印刷対象物（シート材）、４は送りローラ、５は巻取ローラである。
【００４７】
（インフィードユニット）
図１に示すように、インフィードユニット２０は、回転駆動するインフィードローラ２１と、インフィードローラ２１との間で印刷対象物（シート材）Ｗを挟持する圧胴２３と、インフィードローラ２１の下流側に設けられ、図１の矢印方向に移動自在であるダンサーローラ２２とを有している。インフィードユニット２０に送られた印刷対象物Ｗは、インフィードローラ２１と圧胴２３との間で挟持され、またダンサーローラ２２の位置を検出し、インフィードローラ２１の速度を変更することによって、テンションが調整されるようになっている。ここで、シート材Ｗとしては紙層またはプラスチック基材層を含む単層体または積層体からなるシート材を用いることができる。
【００４８】
（印字ユニット）
図１に示すように、印字ユニット４０ａは、インクジェット印字装置４０を備えている。
【００４９】
インクジェット印字装置４０の基本的な構成は、プリントヘッド４１とプリンタ制御部４２とを備える。
【００５０】
プリントヘッド４１は、インクジェット方式により、印刷対象物Ｗに対してインクを射出して印字する装置である。
【００５１】
プリンタ制御部４２は、インクジェット印字装置４０を統括的に制御する制御部である。プリンタ制御部４２は、入力された印字情報に基づいて、プリンタ駆動ローラ、プリントヘッド４１を制御して、印刷対象物Ｗに印字する。
【００５２】
インクジェット印字装置４０は、プリントヘッド４１からインクを印刷対象物Ｗに向けて噴射して、基準見当マーク７を印刷対象物Ｗに印字することができる。
【００５３】
また、インクジェット印字装置４０は、予め設定したプログラムに従って電気的な制御によって電子情報を印字することができるため、図３に示すように、印刷領域６の１つ１つに連続番号、製造日付、製造ロット番号等の可変情報９を印字することができる。なお、可変情報９は、印刷対象物Ｗの余白に設けるようにしてもよい。
【００５４】
（グラビア印刷ユニット）
図１に示すように、グラビア印刷機における複数の印刷ユニット１０ａ、１０ｂ、１０ｃは略同一の構成を備えている。
【００５５】
各印刷ユニット１０ａ、１０ｂ、１０ｃは、印刷用の版胴１１ａ、１１ｂ、１１ｃと、版胴１１ａ、１１ｂ、１１ｃとの間で印刷対象物Ｗを挟持してこの印刷対象物Ｗに対して各色の印刷をする圧胴１２ａ、１２ｂ、１２ｃとを有している。また、印刷対象物Ｗに対して印刷をする際、版胴１１ａ、１１ｂ、１１ｃは印刷対象物Ｗに見当マーク８ａ、８ｂ、８ｃをそれぞれ付けるようになっている。
【００５６】
このようなグラビア印刷機は、矢印方向に連続的に搬送されるフィルム、紙等の印刷対象物Ｗに対して互いに異なる色の印刷をする複数台のグラビア印刷ユニット１０ａ、１０ｂ、１０ｃを備えている。図１の場合、第１のグラビア印刷ユニット１０ａは第１色目のグラビア印刷ユニットとなり、第２のグラビア印刷ユニット１０ｂは第２色目のグラビア印刷ユニットとなり、第３のグラビア印刷ユニット１０ｃは第３色目のグラビア印刷ユニットとなる。
【００５７】
なお、複数台のグラビア印刷ユニット１０ａ、１０ｂ、１０ｃのうち、少なくとも１つのグラビア印刷ユニットを、印刷対象物Ｗ上にオーバープリント層を設けることができるように構成してもよい。オーバープリント層は、印刷対象物Ｗの一部に設けてもよいし、全面に設けてもよい。例えば最上流側のグラビア印刷ユニット１０ａを用いてオーバープリント層を設ける場合、このオーバープリント層は印刷対象物Ｗ上にインクジェット印字装置４０によって印字された基準見当マーク７または可変情報９を保護することができるため、基準見当マーク７または可変情報９によってグラビア印刷ユニットのロールが汚染されるのを防止することができる。なお、この場合、オーバープリント層は基準見当マーク７または可変情報９が印字された部分のみに設けるようにしてもよい。また、例えば最下流のグラビア印刷ユニット１０ｃを用いて印刷対象物Ｗの全面にオーバープリント層を設ける場合、このオーバープリント層は印刷対象物Ｗ上にインクジェット印字装置４０によって印字された基準見当マーク７や可変情報９および上流側のグラビア印刷ユニット１０ａ、１０ｂによって印刷領域６に印刷された絵柄、文字、図形、記号、番号などの印刷や見当マーク８ａ、８ｂを保護することができる。また、オーバープリント層は、印刷対象物Ｗの印刷領域６において、絵柄、文字、図形、記号、番号などが設けられていない部分に設けるようにしてもよい。
【００５８】
（見当合わせ装置）
図２は、図１の第１のグラビア印刷ユニット１０ａに適用された見当合わせ装置の構成を示す概略図である。
【００５９】
図２に示すように、グラビア印刷ユニット１０ａは見当合わせ装置を含む。このうち１５ａは見当マーク検出センサ、１４ａはコンペンセータローラ、１６はコンペンセータローラ１４ａを操作するコンペンセータ駆動モータ、１７は、版胴１１ａ、１１ｂ、１１ｃを版胴の幅方向に移動させ当該版胴の幅方向における位置を調整するサイドレモータ、３０は見当制御装置である。
【００６０】
なお、見当合わせ装置の構成は、第２のグラビア印刷ユニット１０ｂ、および、第３のグラビア印刷ユニット１０ｃにおいても略同一の構成となる。
【００６１】
（見当マーク検出センサ）
図１に示すように、各グラビア印刷ユニット１０ａ、１０ｂ、１０ｃは、版胴１１ａ、１１ｂ、１１ｃの下流側に配置された、見当マーク検出センサ１５ａ、１５ｂ、１５ｃを含む。
【００６２】
見当マーク検出センサ１５ａ、１５ｂ、１５ｃは、図３に示すように、印刷対象物Ｗに付けられた基準見当マーク７および見当マーク８ａ、８ｂ、８ｃを検出するためのセンサである。
【００６３】
ここで、見当マーク検出センサ１５ａは、印刷対象物Ｗ上の基準見当マーク７および第１の見当マーク８ａを検出し、見当マーク検出センサ１５ｂは、印刷対象物Ｗ上の基準見当マーク７および第２の見当マーク８ｂを検出し、見当マーク検出センサ１５ｃは、印刷対象物Ｗ上の基準見当マーク７および第３の見当マーク８ｃを検出するようになっている。
【００６４】
また、見当マーク検出センサ１５ｂは、印刷対象物Ｗ上の第１の見当マーク８ａおよび第２の見当マーク８ｂを検出し、見当マーク検出センサ１５ｃは、印刷対象物Ｗ上の第２の見当マーク８ｂおよび第３の見当マーク８ｃを検出するようにしてもよい。
【００６５】
なお、通常、グラビア印刷の見当ずれの限度は０．５ｍｍ未満であるので、見当マーク検出センサ１５ａ、１５ｂ、１５ｃの精度（検知能力）は０．１ｍｍ〜０．２ｍｍに設定されている。
【００６６】
更に、損紙を減らすために、印字ユニット４０ａにおいて、インクジェット印字装置４０の下流側に見当マーク検出センサ１５ｉを配置してもよい。
【００６７】
ここで、見当マーク検出センサ１５ｉは、印刷対象物Ｗ上の基準見当マーク７を検出するようになっている。そして、検出された基準見当マーク７の印字位置について、制御装置にて、予め設定されている基準点に対する位置座標からの流れ方向と幅方向の印字位置のずれを認識できるようになっている。
【００６８】
見当マーク検出センサ１５ａ、１５ｂ、１５ｃ、１５ｉの構成は、ＬＥＤ等の発光素子と、印刷対象物Ｗに対して発光素子と同じ側に設けられ、発光素子から発せられた後、印刷対象物Ｗより反射した光を受ける受光素子とを有している。
【００６９】
（コンペンセータローラ）
グラビア印刷ユニットには、版胴１１ａ、１１ｂ、１１ｃの上流側に、図１の矢印方向に移動して印刷対象物Ｗの見当合わせを行う印刷対象物の位置調整手段として機能するコンペンセータローラ１４ａ、１４ｂ、１４ｃが各々配置されている。
【００７０】
図１に示すように、コンペンセータローラ１４ａ、１４ｂ、１４ｃは、グラビア印刷ユニットにおいて印刷を行う際に、印字ユニット４０ａにおいて印字された基準見当マークとグラビア印刷ユニット１０ａ、１０ｂ、１０ｃにおいて行われた見当マークとの印刷対象物Ｗの流れ方向Ｖの見当合わせを行うための装置である。
【００７１】
コンペンセータローラ１４ａ、１４ｂ、１４ｃは、後述する見当コントローラに検出された見当ずれの検出信号に基づいて、印字ユニット４０ａとグラビア印刷ユニット１０ａ、１０ｂ、１０ｃ間、各グラビア印刷ユニット１０ａ、１０ｂ、１０ｃ間の印刷対象物Ｗの経路長を調節することにより流れ方向Ｖの見当合わせを行うことができる。このためコンペンセータローラ１４ａ、１４ｂ、１４ｃは見当マーク位置ずれ調整手段として機能する。
【００７２】
（サイドレモータ）
各グラビア印刷ユニットには、版胴を幅方向に移動させ当該版胴の幅方向における位置を調整するサイドレモータ１７が配置されている。
【００７３】
サイドレモータ１７は、各グラビア印刷ユニットにおいて印刷を行う際に、印字ユニット４０ａにおいて印字された基準見当マークとグラビア印刷ユニット１０ａ、１０ｂ、１０ｃにおいて行われた見当マークとの版胴の幅方向における見当合わせを行うための装置である。
【００７４】
サイドレモータ１７は、後述する見当コントローラに検出された見当ずれの検出信号に基づいて、版胴の幅方向におけるこれらの２つの見当マークの座標が一致するよう、版胴１１ａ、１１ｂ、１１ｃの幅方向位置を調整することにより見当合わせを行うことができる。
【００７５】
（見当制御装置）
見当制御装について図２を参照して説明する。図２は、本発明の一実施形態による見当合わせ装置の構成を示す概略図である。他のグラビア印刷ユニットについても同様であるから、ここでは先頭の第１のグラビア印刷ユニット１０ａの見当制御だけを説明する。
【００７６】
グラビア印刷機は、印字ユニットの基準見当マーク７、および各グラビア印刷ユニットの見当マーク８ａの検出設定条件を入力する入力部３１と、見当コントローラ３２からなる制御装置３０を更に有している。
【００７７】
見当コントローラ３２は、各印刷ユニットにおけるコンペンセータローラを制御してその位置を調整する。例えば、第１のグラビア印刷ユニット１０ａのコンペンセータローラ１４ａの位置は、見当マーク検出センサ１５ａにより検出された印刷対象物Ｗ上の基準見当マーク７および見当マーク８ａの位置に基づいて見当ずれの大きさを調整するようになっている。
【００７８】
見当コントローラ３２は、見当ずれが発生していた場合に、入力部３１において入力された見当マーク検出設定条件に対応する見当ずれ調整量に基づいて、コンペン駆動モータ１６の制御量を算出し、算出されたコンペン駆動モータ１６の制御量に基づいてコンペンセータローラ１４ａを制御して、各グラビア印刷ユニット間の印刷対象物Ｗの経路長を調節するコンペン駆動モータ制御器を有している。
【００７９】
また、見当コントローラ３２は、各グラビア印刷ユニットの見当マーク検出センサ１５ａにより検出された印刷対象物Ｗ上の基準見当マーク７、および見当マーク８ａに基づいて、各々のサイドレモータ１７を制御して版胴の幅方向位置を調整するサイドレ駆動モータ制御器を有している。
【００８０】
（印刷対象物）
図３は、図１の印刷機によって絵柄印刷された印刷対象物Ｗの概略平面図である。
【００８１】
印刷対象物Ｗは、少なくとも流れ方向ｖに複数の印刷領域６を有するものであり、幅方向ｘにも複数の印刷領域６を有していてもよい。また、印刷対象物Ｗは、グラビア印刷機における最後尾の印刷ユニット、つまり、図１における印刷ユニット１０ｃで印刷した後、印刷領域６毎に打ち抜いてもよい。例えば、印刷領域６毎に打ち抜いた枚葉シートは、包装材料やカードなどに使用することができる。
【００８２】
印字ユニットのプリントヘッドにより付けられる基準見当マーク７と、各グラビア印刷ユニットの版胴により印刷対象物Ｗに付けられる見当マーク８ａ、８ｂ、８ｃの位置について図３を用いて説明する。
【００８３】
図３に示すように、印刷対象物Ｗに付けられる基準見当マーク７および見当マーク８ａ、８ｂ、８ｃの位置は余白であって、印刷対象物Ｗの幅方向における端部近傍となっている。
【００８４】
〔作用〕
次にこのような構成からなるインライン方式の印刷機の作用について図１を用いて説明する。
【００８５】
まず、図１に示すインクジェット印字装置とグラビア印刷機をインライン形式で設けた印刷装置の全体の動作について説明する。
【００８６】
給紙部１の送りローラ４から巻き解かれた無地の印刷対象物Ｗが、インフィードユニット２０に送られ、このインフィードユニット２０において印刷対象物Ｗにテンションが与えられる。このことにより、印刷対象物Ｗの印刷ピッチが、印刷対象物Ｗに与えられるテンションの大きさに応じて調整される。次に、印刷対象物Ｗはインフィードユニット２０からインクジェット印字装置４０による印字ユニット４０ａに送られ、印字ユニット４０ａでプリントヘッド４１により印刷対象物Ｗに基準見当マーク７が付けられる。なお、プリントヘッド４１により印刷対象物Ｗの印刷領域６あるいは余白の少なくともいずれかに可変情報が付与されてもよい。
【００８７】
しかる後、印刷対象物Ｗはグラビア印刷ユニット１０ａ、１０ｂ、１０ｃに送られ、各グラビア印刷ユニット１０ａ、１０ｂ、１０ｃにおいてそれぞれ、圧胴１２ａ、１２ｂ、１２ｃにより版胴１１ａ、１１ｂ、１１ｃに密着され印圧が加えられて、印刷対象物Ｗに対して各色の印刷が行われる。このときに、プリントヘッド４１、版胴１１ａ、１１ｂ、１１ｃにより印刷対象物Ｗにそれぞれ第１の見当マーク８ａ、第２の見当マーク８ｂ、第３の見当マーク８ｃがそれぞれ付けられる。続いて、印刷対象物Ｗはガイドローラにより導かれ、各グラビア印刷ユニット１０ａ、１０ｂ、１０ｃ内の図示しない乾燥ユニットより印刷インキの乾燥が行われる。
【００８８】
グラビア印刷ユニット１０ａ、１０ｂ、１０ｃにおいて、印刷対象物Ｗ上に付けられた基準見当マーク７および見当マーク８ａ、８ｂ、８ｃが、見当マーク検出センサ１５ａ、１５ｂ、１５ｃにより検出され、この印刷対象物Ｗ上における基準見当マーク７および見当マーク８ａ、８ｂ、８ｃの位置の信号が制御装置の見当コントローラに送られる。そして、コンペンセータローラ１４ａ、１４ｂ、１４ｃは、見当コントローラから送られた印刷対象物Ｗ上の基準見当マークを基準として見当マークの相対的な位置ずれの情報に基づいて算出される操作量に応じてその位置が変化し、このことにより版胴１１ａ、１１ｂ、１１ｃに送られる印刷対象物Ｗの流れ方向Ｖの見当合わせを行う。つまり、コンペンセータローラ１４ａは基準見当マーク７と第１の見当マーク８ａの相対的な位置ずれの情報に基づいて算出される操作量に応じて位置が変化し、コンペンセータローラ１４ｂは基準見当マーク７と第２の見当マーク８ｂの相対的な位置ずれの情報に基づいて算出される操作量に応じて位置が変化し、コンペンセータローラ１４ｃは基準見当マーク７と第３の見当マーク８ｃの相対的な位置ずれの情報に基づいて算出される操作量に応じて位置が変化し、印刷対象物Ｗの流れ方向Ｖの見当合わせを行うことができる。
【００８９】
また、隣接する２つの印刷ユニット間で印刷された見当マーク同士の相対的な位置ずれ情報に基づいて算出されるコンペンセータローラ１４ｂ、１４ｃの操作量に応じてその位置が変化させて隣接する印刷ユニット間の見当合わせを行うこともできる。つまり、コンペンセータローラ１４ａは基準見当マーク７と第１の見当マーク８ａの相対的な位置ずれの情報に基づいて算出される操作量に応じて位置が変化し、コンペンセータローラ１４ｂは第１の見当マーク８ａと第２のマーク８ｂの相対的な位置ずれの情報に基づいて算出される操作量に応じて位置が変化し、コンペンセータローラ１４ｃは第２の見当マーク８ｂと第３の見当マーク８ｃの相対的な位置ずれの情報に基づいて算出される操作量に応じて位置が変化し、印刷対象物Ｗの流れ方向Ｖの見当合わせを行うこともできる。
【００９０】
また、サイドレモータは、見当コントローラから送られた印刷対象物Ｗ上の基準見当マークおよび見当マークの位置の情報に基づいて算出される操作量に応じて版胴の幅方向の位置が変化し、このことにより印刷対象物Ｗの幅方向Ｘの見当合わせを行う。
【００９１】
印刷部２において印字、印刷、乾燥が行われた印刷対象物Ｗは巻取部３に供給される。
【００９２】
巻取部３ではその印刷対象物Ｗを巻き取り、巻取ローラ５を形成する。
【００９３】
次に、本発明の一実施形態による制御装置３０の見当コントローラ３２で実行される見当制御の動作の過程について、図４を参照して説明する。図４は、本発明の一実施形態による見当制御の過程を示すフロー図である。他のグラビア印刷ユニットについても同様であるから、ここでは先頭の第１のグラビア印刷ユニット１０ａのコンペンセータローラ１４ａの位置を変更する過程についてだけ説明する。
【００９４】
まず、図４のステップＳ１において、第１のグラビア印刷ユニット１０ａの見当マーク検出センサ１５ａは先行して印刷対象物Ｗに印刷されている基準となる基準見当マーク７と、第１のグラビア印刷ユニット１０ａにおいて印刷が行われた見当マークである第１の見当マーク８ａとを検出し検出信号を出力する。
【００９５】
次にステップＳ２において、見当コントローラ３２は見当マーク検出センサ１５ａから検出信号を入力して、基準見当マーク７と第１の見当マーク８ａの相対的な所定の位置からのずれ量である見当ずれ量を演算し出力する。
【００９６】
これらステップＳ１とステップＳ２の過程は版胴１１ａが１回転する度に繰り返し行われる。
【００９７】
この場合、見当コントローラ３２では印刷対象物Ｗの基準見当マーク７と第１の見当マーク８ａの位置関係が設定範囲であるか否か確認する。そしてこの位置関係が設定範囲内のとき、見当制御が終了する。他方、この位置関係が設定範囲を越えたとき、ステップ３に進む。
【００９８】
ステップＳ３において、第１の見当マーク８ａに対して基準見当マーク７が印刷対象物Ｗの走行方向の側（下流）に見当ずれしているときには、見当ずれ量は正（印刷が進んでいる）であるので、コンペン駆動モータ１６の回転速度を速くして、コンペンセータローラ１４ａを印刷対象物Ｗの経路長を長くする方向である上方に移動させるように制御が行われる。
【００９９】
第１の見当マーク８ａに対して基準見当マーク７が印刷対象物Ｗの走行方向の反対側（上流）に見当ずれしているときには、見当ずれ量は負（印刷が遅れている）であるので、コンペン駆動モータ１６の回転速度を遅くして、コンペンセータローラ１４ａを印刷対象物Ｗの経路長を短くする方向である下方に移動させるように制御が行われる。
【０１００】
また、第１の見当マーク８ａに対して基準見当マーク７が版胴１１ａの幅方向Ｘに見当ずれしているときには、この第１の見当マーク８ａと基準見当マーク７の座標が一致するように、サイドレモータの制御量を調整する。
【０１０１】
その後、再びステップＳ１に戻って、印刷対象物Ｗの基準マーク７と第１見当マーク８ａを見当マーク検出センサ１５ａにより検出し、基準マーク７と第１見当マーク８ａとの位置関係が設定範囲に収まるまで、上述の制御が繰り返される。
【０１０２】
この見当制御により、グラビア印刷の第１ユニット１０ａが薄色の印刷材料であっても、グラビア印刷の第１ユニット１０ａの上流に配置される印字ユニット４０ａで、基準となる基準見当マーク７を印刷対象物Ｗに印字することができるので、各グラビア印刷ユニット１０ａ、１０ｂ、１０ｃのコンペンセータローラ１４ａ、１４ｂ、１４ｃが印刷対象物Ｗ上の見当マークの位置情報に基づいて印刷対象物Ｗの見当合わせを行うことが可能であり、印字ユニット４０ａと、各グラビア印刷ユニット１０ａ、１０ｂ、１０ｃ間で印刷対象物Ｗに印刷した絵柄の見当合わせを安定して精度良く行うことができる。
【０１０３】
〔変形例〕
なお、本発明におけるインクジェット印字装置を付加したグラビア印刷機の印刷方法は、上記の態様に限定されるものではなく、様々の変更を加えることができる。
【０１０４】
例えば、グラビア印刷機は、見当マーク位置ずれ調整手段として、コンペンセータローラを用いたコンペンセータ方式のものに限定されることはない。グラビア印刷機の見当マーク位置ずれ調整手段として、セクショナルドライブ方式のものを用いてもよい。
【０１０５】
この場合には、図１に示すコンペンセータ方式のグラビア印刷機と比較して、印刷ユニット１０ａ、１０ｂ、１０ｃにおいてコンペンセータローラ１４ａ、１４ｂ、１４ｃおよびコンペン駆動モータが設置されないようになる。
【０１０６】
セクショナルドライブ方式のグラビア印刷機においては、各印刷ユニット１０ａ、１０ｂ、１０ｃの版胴１１ａ、１１ｂ、１１ｃは、それぞれ対応するサイドレモータ（版胴駆動モータ）により回転駆動されているが、これらのサイドレモータのモータ回転速度はサーボドライバによりそれぞれ調整されるようになる。この際に、サーボドライバは、それぞれサイドレモータに設けられたパルスジェネレータにより検出された実際のサイドレモータのモータ回転速度を、各々見当コントローラにより算出された目標モータ回転速度に近づけるように各版サイドレモータに送るモータ駆動電流の大きさをそれぞれ調整するようになっている。
【０１０７】
セクショナルドライブ方式のグラビア印刷機においては、入力部３１により見当マーク検出設定条件を入力すると、各印刷ユニット１０ａ、１０ｂ、１０ｃについて、見当ずれの大きさを、入力部３１により入力された見当マーク検出設定条件の見当ずれ調整量に基づいて修正し、修正後の見当ずれの大きさに基づいてサイドレモータの制御量を算出するようになっている。このように、セクショナルドライブ方式のグラビア印刷機でも、見当ずれの微調整を行うことにより、見当合わせを効率的に行うことができる。
【０１０８】
あるいはまた、グラビア印刷機の見当マーク位置ずれ調整手段として、インクジェット印字装置中に印字タイミング調整手段を設け、この印字タイミング調整手段により見当マーク位置ずれを調整してもよい。
【０１０９】
＜１−２実施形態＞
図５は本発明の第１−２実施形態による印刷機の構成を示す概略図である。
【０１１０】
図５に示すように、圧胴２３とインフィードローラ２１は、印字ユニット４０ａの上流側の配置に限定されず、印字ユニット４０ａと先頭の第１のグラビア印刷ユニット１０ａとの間に配置されていてもよい。
【０１１１】
＜１−３実施形態＞
図６は本発明の第１−３実施形態による印刷機の構成を示す概略図である。
【０１１２】
第１−３実施形態は、第１−１実施形態における印字ユニット４０ａの下流に、更に圧胴２３とインフィードローラ２１が追加して配置されている。このことにより、第１−３実施形態は、印刷対象物Ｗが弛むことを防止することができるので、印字ユニット４０ａにおいて、プリントヘッド４１から印刷対象物Ｗに印字する際、印刷対象物の流れ方向Ｖの見当の精度が向上することができる点で好ましい。
【０１１３】
上記の第１−１実施形態〜第１−３実施形態では、３つのグラビア印刷ユニットが設けられる例について説明したが、グラビア印刷ユニットは１つ又は２つ設けてもよく、４つ以上設けてもよい。
【０１１４】
＜２−１実施形態＞
以下、図面を参照して本発明の２−１実施形態について説明する。なお、本明細書に添付する図面においては、図示と理解のしやすさの便宜上、適宜縮尺及び縦横の寸法比等を、実物のそれらから変更し誇張してある。
【０１１５】
〔ブランクの製造工程〕
図７はブランクの製造方法を示す全体のフロー図である。
【０１１６】
まず、ステップ１は、印刷工程であり、当該工程において連続的に搬送される長尺状のシート材（印刷対象物）の製品部に固定情報と可変情報を印刷し、連続的に搬送される長尺状のシート材の余白部に見当マークを印刷する。
【０１１７】
次に、ステップ２は、打抜き工程であり、当該工程において、シート材に設けられた製品部を打抜き機により打抜き、ブランクを製造する。
【０１１８】
なお、ステップ１とステップ２はオフラインとインラインのいずれであってもよい。
【０１１９】
更に、ブランクは、平板状態のまま使用してもよいが、製函して容器として使用することもできる。
【０１２０】
以下、印刷工程について詳細に説明する。
【０１２１】
図８は、第２−１実施形態の印刷機の側面図である。
【０１２２】
図８に示すように、印刷機は、給紙部１と、印刷部２と、巻取部３を備え、印刷部２は、インフィードユニット２０と、インクジェット印字装置４０を有するインクジェット印字部４０ａと、輪転印刷部を備える。印刷機は、インクジェット印字部と輪転印刷部をインライン形式で設けた点を特徴としている。
【０１２３】
図８では、インクジェット印字部が、インクジェット印字ユニット４０ａとして示され、インクジェット印字手段がインクジェット印字装置４０として示されている。そして、インクジェット印字装置４０は、プリントヘッド４１とプリンタ制御部４２とを備えている。
【０１２４】
また、図８に示すように、輪転印刷部は複数の輪転印刷ユニット１０ａ、１０ｂ、１０ｃを備え、複数の輪転印刷ユニット１０ａ、１０ｂ、１０ｃは略同一の構成を備えている。なお、輪転印刷ユニットの数は３つの場合を示したが、これに限定されず、１つ、２つ、あるいは４つ以上であってもよい。そして、各輪転印刷ユニット１０ａ、１０ｂ、１０ｃは、版胴１１ａ、１１ｂ、１１ｃ、圧胴１２ａ、１２ｂ、１２ｃ、見当マーク検出手段１５ａ、１５ｂ、１５ｃ、見当制御手段３０、経路長調整手段をそれぞれ備える。図８では、版胴が１１ａ、１１ｂ、１１ｃとして示され、圧胴が１２ａ、１２ｂ、１２ｃとして示されている。また、図８では、見当マーク検出手段が見当マーク検出センサ１５ａ、１５ｂ、１５ｃとして示され、見当制御手段が、見当制御装置３０として示されている。また、図８では、経路長調整手段は見当マーク位置ずれ調整手段として機能し、この経路長調整手段はコンペン駆動モータ１６と、コンペンセータローラ１４ａ、１４ｂ、１４ｃとを含む例が示されている。
【０１２５】
図８に示すように、給紙部１の送りローラ４から巻き解かれた無地のシート材Ｗは、インフィードユニット２０に送られ、インフィードローラ２１と圧胴２３との間で挟持され、シート材Ｗにテンションが与えられる。
【０１２６】
インフィードユニット２０の基本的な構成は、回転駆動するインフィードローラ２１と、インフィードローラ２１との間でシート材Ｗを挟持する圧胴２３と、インフィードローラ２１の下流側に設けられ、図８の矢印方向に移動自在であるダンサーローラ２２を有している。
【０１２７】
ダンサーローラ２２の位置を検出し、インフィードローラ２１の速度を変更して、印刷対象物としてのシート材Ｗに与えられるテンションの大きさに応じてシート材Ｗの印刷ピッチが調整される。
【０１２８】
シート材Ｗはインフィードユニット２０からインクジェット印字ユニット４０ａに送られる。インクジェット印字装置４０の基本的な構成は、プリントヘッド４１とプリンタ制御部４２とを備える。プリントヘッド４１は、インクジェット方式によりシート材Ｗに対してインクを射出して印字する装置である。プリントヘッド４１によって、シート材Ｗに可変情報およびインクジェット印字見当マークが印刷される。プリンタ制御部４２は、インクジェット印字装置４０を統括的に制御する制御部である。プリンタ制御部４２は、入力された情報に基づいて、プリンタ駆動ローラ、プリントヘッド４１を制御する。プリンタ制御部４２は、予め設定したプログラムに従って電気的な制御によって電子情報を印字することができる。
【０１２９】
インクジェット印刷工程は、まず、シート材Ｗには、プリントヘッドから噴射されたインクジェットインキによって、可変情報９が製品部６に印刷されると連動してインクジェット印字見当マーク７がシート材Ｗ印刷される。
【０１３０】
更に、シート材Ｗ上のインクを乾燥させるための乾燥機４３を通って乾燥が行われてもよい。シート材Ｗには、赤外線や紫外線などの光が照射されて、シート材Ｗ上に印刷されたインクジェットインキを乾燥させることができる。なお、乾燥とは、熱エネルギーを与えてインクジェットインキの溶媒を蒸発させることやインクジェットインキを硬化させることを含む。
【０１３１】
また、シート材Ｗは、乾燥機４３を通って乾燥して輪転印刷部にて印刷を行う前に、更に、裏面に輪転印刷機で印刷するためのターンバー４５によって、シート材Ｗの表裏を反転させてもよい。
【０１３２】
シート材Ｗは、輪転印刷ユニット１０ａ、１０ｂ、１０ｃにおいて、圧胴１２ａ、１２ｂ、１２ｃにより版胴１１ａ、１１ｂ、１１ｃに密着され印圧が加えられて、版胴１１ａ、１１ｂ、１１ｃと圧胴１２ａ、１２ｂ、１２ｃとの間を通過することによって、シート材Ｗに対して製品部６に輪転印刷画像部７０ａ、７０ｂ、７０ｃと輪転印刷見当マーク８ａ、８ｂ、８ｃが同時に印刷される。シート材Ｗはガイドローラにより導かれ、輪転印刷ユニット１０ａ、１０ｂ、１０ｃ内の乾燥機により印刷インキの乾燥が行われる。
【０１３３】
なお、通常、輪転印刷の見当ずれの限度は０．５ｍｍ未満であるので、見当マーク検出センサ１５ａ、１５ｂ、１５ｃの精度（検知能力）は０．１〜０．２ｍｍに設定されている。
【０１３４】
見当マーク検出センサ１５ａ、１５ｂ、１５ｃは、ＬＥＤ等の発光素子と、シート材Ｗに対して発光素子と反対側に設けられ、発光素子から発せられた光を反射する反射板と、シート材Ｗに対して発光素子と同じ側に設けられ、発光素子から発せられ、反射板により反射した光を受ける受光素子とを有している。
【０１３５】
輪転印刷ユニット１０ａ、１０ｂ、１０ｃとしては、グラビア印刷ユニットの他、オフセット印刷ユニット、フレキソ印刷ユニットが用いられる。中でも、グラビア印刷ユニットは、高速で大量に印刷できる点で好ましい。
【０１３６】
なお、図８において、Ｗはシート材、４は送りローラ、５は巻取ローラである。
【０１３７】
図１０は、第２−１実施形態の輪転印刷ユニット１０ａ、１０ｂ、１０ｃを用いて固定情報と可変情報と見当マークが形成されたシート材Ｗの一例を説明する説明図である。
【０１３８】
図１０に示すように、固定情報８０および可変情報９はシート材Ｗの製品部６に形成される。固定情報８０は、例えば、輪転印刷画像部７０ａ、７０ｂ、７０ｃにより形成することができる。ここで、固定情報８０としては、絵柄、文字、図形、記号、番号などが挙げられ、例えば、製品内容などを表示することができる。また、輪転印刷画像部７０ａ、７０ｂ、７０ｃにおいて、各輪転印刷画像部を異なる色にしてもよい。可変情報９としては、連続番号、製造日付、製造ロット番号、ＱＲコード（登録商標）などが挙げられる。
【０１３９】
また、製品部６はシート材Ｗに多面付けされるものであり、例えば、図１０に示すように、シート材Ｗの幅方向に２列、搬送方向に連続して設けることができる。
【０１４０】
そして、輪転印刷見当マーク８ａ、８ｂ、８ｃおよびインクジェット印字見当マーク７が、シート材Ｗの幅方向における端部近傍の余白部１８に印刷される。なお、輪転印刷見当マーク８ａ、８ｂ、８ｃは輪転印刷画像部７０ａ、７０ｂ、７０ｃにそれぞれ対応し、インクジェット印字見当マーク７は可変情報９に対応して設けられるものである。
【０１４１】
なお、複数台の輪転印刷ユニット１０ａ、１０ｂ、１０ｃのうち、少なくとも１つの輪転印刷ユニットを、シート材Ｗ上にオーバープリント層を設けることができるように構成してもよい。オーバープリント層は、シート材Ｗの一部に設けてもよいし、全面に設けてもよい。例えば最上流側の輪転印刷ユニット１０ａを用いてオーバープリント層を設ける場合、このオーバープリント層はシート材Ｗ上にインクジェット印字装置４０によって印字されたインクジェット印字見当マーク７や可変情報９を保護することができるため、インクジェット印字装置４０によって印字されたインクジェット印字見当マーク７や可変情報９によって輪転印刷ユニットのロールが汚染されるのを防止することができる。なお、この場合、オーバープリント層はインクジェット印字見当マーク７や可変情報９が印字された部分のみに設けるようにしてもよい。また、例えば最下流の輪転印刷ユニット１０ｃを用いてシート材Ｗの全面にオーバープリント層を設ける場合、このオーバープリント層はシート材Ｗ上にインクジェット印字装置４０によって印字されたインクジェット印字見当マーク７や可変情報９および上流側の輪転印刷ユニット１０ａ、１０ｂによって印刷された輪転印刷画像部７０ａ、７０ｂおよび輪転印刷見当マーク８ａ、８ｂを保護することができる。なお、この場合、固定情報８０は輪転印刷画像部７０ａ、７０ｂにより形成される。また、オーバープリント層は、シート材Ｗの印刷領域６において、固定情報８０が設けられていない部分に設けるようにしてもよい。
【０１４２】
図１１は、図１０のシート材Ｗの製品部６を打ち抜くことにより形成されたブランクを示す概略図である。ブランクは、シート材Ｗに多面付けされた製品部６を打抜き機により打抜かれたものである。ブランクには、固定情報８０と可変情報９が形成されている。
【０１４３】
なお、図１１には、シート材Ｗに各輪転印刷画像部７０ａ、７０ｂ、７０ｃが重ならないように形成された例を示したが、輪転印刷画像部は、全部または一部が重なるように形成されてもよい。
【０１４４】
次に、このような構成からなる第２−１実施形態の作用について説明する。
【０１４５】
図８は、第２−１実施形態の印刷機の構成を示す概略図であり、見当マーク検出センサ１５ａからインクジェット印字装置４０に信号が入力されるように構成される。ここで図１２は、第２−１実施形態の第１輪転印刷ユニットでの加工処理を説明するフロー図であり、図１３は、第２−１実施形態の第２輪転印刷ユニットでの加工処理を説明するフロー図である。
【０１４６】
第２−１実施形態は、一番上流側の見当マーク検出センサ、つまり、見当マーク検出センサ１５ａで検出される輪転印刷見当マーク８ａをインクジェット印字見当マーク７を印刷するときのトリガーとし、一番上流側の見当マーク検出センサ１５ａで検出される輪転印刷見当マーク８ａ、つまり、輪転印刷見当マーク８ａを基準となる輪転印刷見当マークとするものである。また、見当マーク検出センサ１５ａはインクジェット印字見当マーク７と輪転印刷見当マーク８ａを検出し、見当マーク検出センサ１５ｂは輪転印刷見当マーク８ａと輪転印刷見当マーク８ｂを検出し、見当マーク検出センサ１５ｃは輪転印刷見当マーク８ｂと輪転印刷見当マーク８ｃを検出するようになっている。
【０１４７】
はじめに第２−１実施形態における第１輪転印刷ユニット１０ａの見当制御方法について図１２により述べる。
【０１４８】
（工程Ｓ１）
まず、各輪転印刷ユニット１０ａ、１０ｂ、１０ｃにおいて、圧胴１２ａ、１２ｂ、１２ｃを同時に下ろし、これら輪転印刷ユニット１０ａ、１０ｂ、１０ｃにより輪転印刷見当マーク８ａ、８ｂ、８ｃと第１輪転印刷画像部７０ａ、第２輪転印刷画像部７０ｂ、第３輪転印刷画像部７０ｃの印刷を開始する。
【０１４９】
（工程Ｓ２）
次に、輪転印刷見当マーク８ａを第１輪転ユニットの見当マーク検出センサ１５ａで検出する。
【０１５０】
（工程Ｓ３）
輪転印刷見当マーク８ａを見当マーク検出センサ１５ａで検出したら、見当マーク検出センサ１５ａからインクジェット印字装置４０のプリンタ制御部４２に信号を入力し、プリントヘッド４１からインクジェット印字見当マーク７と可変情報９を印刷するよう指示する。
【０１５１】
（工程Ｓ４）
次に、輪転印刷見当マーク８ａとインクジェット印字見当マーク７を第１輪転印刷ユニットの見当マーク検出センサ１５ａで検出する。
【０１５２】
見当マーク検出センサ１５ａで輪転印刷見当マーク８ａとインクジェット印字見当マーク７を検出した場合（工程Ｓ４のＹｅｓ）、工程Ｓ５に進む。
【０１５３】
（工程Ｓ５）
次に、第１輪転印刷ユニット１０ａの見当制御装置３０は、輪転印刷見当マーク８ａとインクジェット印字見当マーク７との相対的な位置関係が設定範囲内かを判定する。ここで第１輪転印刷ユニット１０ａの見当制御装置３０は第１見当制御装置として機能する。
【０１５４】
見当制御装置３０は、設定範囲内と判定した場合には（工程Ｓ５のＹｅｓ）、見当制御を終了する。一方、設定範囲外と判定した場合には（工程Ｓ５のＮｏ）、工程Ｓ６に進む。これら工程Ｓ４と工程Ｓ５の過程は版胴１１ａが１回転する度に繰り返し行われる。
【０１５５】
（工程Ｓ６）
輪転印刷見当マーク８ａとインクジェット印字見当マーク７との相対的な位置関係が設定範囲外であった場合、見当制御装置３０は、コンペンセータローラ（第１見当マーク位置ずれ調整手段）１４ａを上下方向に移動させて、輪転印刷見当マーク８ａとインクジェット印字見当マーク７との位置ずれ量を調整するようコンペン駆動モータ１６に指示する。輪転印刷見当マーク８ａとインクジェット印字見当マーク７の間隔が設定値より短くなっているときには、コンペンセータローラ１４ａをシート材Ｗの経路長を長くする方向である上方に移動させるように制御が行われる。一方、輪転印刷見当マーク８ａとインクジェット印字見当マーク７の間隔が設定値より長くなっているときには、コンペンセータローラ１４ａをシート材Ｗの経路長を短くする方向である下方に移動させるように制御が行われる。その後、工程Ｓ４に戻り、上述した見当制御が繰り返される。
【０１５６】
次に第２輪転印刷ユニット１０ｂにおける見当制御方法について図１３により述べる。
【０１５７】
（工程Ｓ１）
まず各輪転印刷ユニットにおいて、圧胴１２ａ、１２ｂ、１２ｃを同時に下ろし、輪転印刷見当マーク８ａ、８ｂ、８ｃと第１輪転印刷画像部７０ａ、第２輪転印刷画像部７０ｂ、第３輪転印刷画像部７０ｃの印刷を開始する。なお、第２輪転印刷ユニットでの見当制御方法の工程Ｓ１は、第１輪転印刷ユニットでの加工処理の工程Ｓ１と兼用される工程である。
【０１５８】
（工程Ｓ２）
次に、輪転印刷見当マーク８ａと８ｂを第２輪転印刷ユニット１０ｂの見当マーク検出センサ１５ｂで検出する。この場合、第２輪転印刷ユニット１０ｂは、第１輪転印刷ユニット１０ａに対して下流側の輪転印刷ユニットとなる。
【０１５９】
見当マーク検出センサ１５ｂで輪転印刷見当マーク８ａと輪転印刷見当マーク８ｂを検出した場合（工程Ｓ２のＹｅｓ）、工程Ｓ３に進む。
【０１６０】
（工程Ｓ３）
次に、第２輪転印刷ユニット１０ｂの見当制御装置３０は、輪転印刷見当マーク８ａと輪転印刷見当マーク８ｂとの相対的な位置関係が設定範囲内かを判定する。ここで第２輪転印刷ユニット１０ｂの見当制御装置３０は第２見当制御装置として機能する。
【０１６１】
そして、設定範囲内と判定した場合には（工程Ｓ３のＹｅｓ）、見当制御を終了する。
【０１６２】
一方、設定範囲外と判定した場合には（工程Ｓ３のＮｏ）、工程Ｓ４に進む。これら工程Ｓ２と工程Ｓ３の過程は版胴１１ｂが１回転する度に繰り返し行われる。
【０１６３】
（工程Ｓ４）
次に、輪転印刷見当マーク８ａと８ｂとの相対的な位置関係が設定範囲外であった場合は、見当制御装置３０は、コンペンセータローラ（第２見当マーク位置ずれ調整手段）１４ｂを上下方向に移動させて、輪転印刷見当マーク８ａと８ｂとの位置ずれ量を調整するようコンペン駆動モータ１６に指示する。その後、工程Ｓ２に戻り、上述した見当制御が繰り返えされる。
【０１６４】
なお、本実施形態の第３輪転印刷ユニット１０ｃでの見当制御方法は、輪転印刷見当マーク８ａと８ｃを第３輪転印刷ユニット１０ｃの見当マーク検出センサ１５ｃで検出する以外は、本実施形態の第２輪転印刷ユニット１０ｂでの見当制御方法と同様に行われる。
【０１６５】
上述では、圧胴１２ａ、１２ｂ、１２ｃを同時に下ろす例について説明したが、ばらばらに下ろすようにしてもよい。
【０１６６】
＜２−１実施形態の変形例＞
次に、第２−１実施形態の変形例について説明する。
【０１６７】
図９は、第２−１実施形態の変形例を示す側面図であり、見当マーク検出センサ１５ｃからインクジェット印字装置４０に信号が入力されるように構成される。図１４は、第２−１実施形態の変形例の第３輪転印刷ユニットでの見当制御方法を説明するフロー図であり、図１５は、第２−１実施形態の変形例の第１輪転印刷ユニットでの見当制御方法を説明するフロー図であり、図１６は、第２−１実施形態の変形例の第２輪転印刷ユニットでの見当制御方法を説明するフロー図である。
【０１６８】
第２−１実施形態の変形例は、見当マーク検出センサ１５ｃで検出される輪転印刷見当マーク８ｃをインクジェット印字見当マーク７を印刷するときのトリガーとしたものである。
【０１６９】
すなわち、一番下流側の見当マーク検出センサ、つまり、見当マーク検出センサ１５ｃで検出される輪転印刷見当マーク８ｃをインクジェット印字見当マーク７を印刷するときのトリガーとし、一番上流側の見当マーク検出センサ１５ａで検出される輪転印刷見当マーク８ａ、つまり、輪転印刷見当マーク８ａを基準となる輪転印刷見当マークとするものである。また、見当マーク検出センサ１５ａはインクジェット印字見当マーク７と輪転印刷見当マーク８ａを検出し、見当マーク検出センサ１５ｂは輪転印刷見当マーク８ａと輪転印刷見当マーク８ｂを検出し、見当マーク検出センサ１５ｃは輪転印刷見当マーク８ｂと輪転印刷見当マーク８ｃを検出するようになっている。
【０１７０】
はじめに第２−１実施形態の変形例の第３輪転印刷ユニット１０ｃでの見当制御方法について図１４により述べる。
【０１７１】
（工程Ｓ１）
まず、各輪転印刷ユニット１０ａ、１０ｂ、１０ｃにおいて、圧胴１２ａ、１２ｂ、１２ｃを同時に下ろし、輪転印刷見当マーク８ａ、８ｂ、８ｃと第１輪転印刷画像部７０ａ、第２輪転印刷画像部７０ｂ、第３輪転印刷画像部７０ｃの印刷を開始する。
【０１７２】
（工程Ｓ２）
次に、輪転印刷見当マーク８ｃを第３輪転印刷ユニット１０ｃの見当マーク検出センサ１５ｃで検出する。
【０１７３】
（工程Ｓ３）
輪転印刷見当マーク８ｃを見当マーク検出センサ１５ｃで検出したら、見当マーク検出センサ１５ｃからインクジェット印字装置４０のプリンタ制御部４２に信号を入力し、プリントヘッド４１からインクジェット印字見当マーク７と可変情報９を印刷するよう指示する。
【０１７４】
（工程Ｓ４）
次に、輪転印刷見当マーク８ｂと８ｃを第３輪転印刷ユニット１０ｃの見当マーク検出センサ１５ｃで検出する。
【０１７５】
見当マーク検出センサ１５ｃで輪転印刷見当マーク８ｂと輪転印刷見当マーク８ｃを検出した場合（工程Ｓ４のＹｅｓ）、工程Ｓ５に進む。
【０１７６】
（工程Ｓ５）
次に、輪転印刷見当マーク８ｂと輪転印刷見当マーク８ｃとの相対的な位置関係が設定範囲内かを判定する。
【０１７７】
第３輪転印刷ユニット１０ｃの見当制御装置（第２見当制御装置）３０は、設定範囲内と判定した場合には（工程Ｓ５のＹｅｓ）見当制御を終了する。一方、設定範囲外と判定した場合には（工程Ｓ５のＮｏ）、工程Ｓ６に進む。これら工程Ｓ４と工程Ｓ５の過程は版胴１１ｃが１回転する度に繰り返し行われる。
【０１７８】
（工程Ｓ６）
次に、輪転印刷見当マーク８ｂと８ｃとの相対的な位置関係が設定範囲外であった場合は、コンペンセータローラ１４ｃを上下方向に移動させて、シートＷの経路長を調整することにより、輪転印刷見当マーク８ｂと８ｃとの位置ずれ量を調整するよう指示する。輪転印刷見当マーク８ｂと８ｃの間隔が設定値より短くなっているときには、コンペンセータローラ１４ｃをシート材Ｗの経路長を長くする方向である上方に移動させるように制御が行われる。一方、輪転印刷見当マーク８ｂと８ｃの間隔が設定値より長くなっているときには、コンペンセータローラ１４ｃをシート材Ｗの経路長を短くする方向である下方に移動させるように制御が行われる。その後、工程Ｓ４に戻り、上述した見当制御が繰り返される。
【０１７９】
次に第２−１実施形態の変形例の第１輪転印刷ユニット１０ａでの見当制御方法について図１５により述べる。
【０１８０】
（工程Ｓ１）
まず輪転印刷ユニット１０ａ、１０ｂ、１０ｃにおいて、圧胴１２ａ、１２ｂ、１２ｃを同時に下ろし、輪転印刷見当マーク８ａ、８ｂ、８ｃと第１輪転印刷画像部７０ａ、第２輪転印刷画像部７０ｂ、第３輪転印刷画像部７０ｃの印刷を開始する。なお、第１輪転印刷ユニット１０ａでの見当制御方法の工程Ｓ１は、第３輪転印刷ユニット１０ｃでの見当制御方法の工程Ｓ１と兼用される工程である。
【０１８１】
（工程Ｓ２）
次に、輪転印刷見当マーク８ａとインクジェット印字見当マーク７を第１輪転印刷ユニット１０ａの見当マーク検出センサ１５ａで検出する。
【０１８２】
見当マーク検出センサ１５ａで輪転印刷見当マーク８ａとインクジェット印字見当マーク７を検出した場合（工程Ｓ２のＹｅｓ）、工程Ｓ３に進む。
【０１８３】
（工程Ｓ３）
次に、第１輪転印刷ユニット１０ａの見当制御装置（第１見当制御装置）３０は、輪転印刷見当マーク８ａとインクジェット印字見当マーク７との相対的な位置関係が設定範囲内かを判定する。
【０１８４】
見当制御装置３０は、設定範囲内と判定した場合には（工程Ｓ３のＹｅｓ）見当制御を終了する。一方、設定範囲外と判定した場合には（工程Ｓ３のＮｏ）、工程Ｓ４に進む。
【０１８５】
これら工程Ｓ２と工程Ｓ３の過程は版胴１１ａが１回転する度に繰り返し行われる。
【０１８６】
（工程Ｓ４）
輪転印刷見当マーク８ａとインクジェット印字見当マーク７との相対的な位置関係が設定範囲外であった場合、コンペンセータローラ１４ａを上下方向に移動させて、輪転印刷見当マーク８ａとインクジェット印字見当マーク７との位置ずれ量を調整するようコンペン駆動モータ１６に指示する。その後工程Ｓ２に戻り、上述した見当制御が繰り返される。
【０１８７】
次に第２−１実施形態の変形例の第２輪転印刷ユニット１０ｂでの見当制御について図１６により述べる。
【０１８８】
（工程Ｓ１）
まず輪転印刷ユニット１０ａ、１０ｂ、１０ｃにおいて、圧胴１２ａ、１２ｂ、１２ｃを同時に下ろし、輪転印刷見当マーク８ａ、８ｂ、８ｃと第１輪転印刷画像部７０ａ、第２輪転印刷画像部７０ｂ、第３輪転印刷画像部７０ｃの印刷を開始する。なお、第２輪転印刷ユニット１０ｂでの見当制御方法の工程Ｓ１は、第３輪転印刷ユニット１０ｃでの見当制御方法の工程Ｓ１と兼用される工程である。
【０１８９】
（工程Ｓ２）
次に、輪転印刷見当マーク８ａと８ｂを第２輪転ユニットの見当マーク検出センサ１５ｂで検出する。
【０１９０】
見当マーク検出センサ１５ｂで輪転印刷見当マーク８ａと輪転印刷見当マーク８ｂを検出した場合（工程Ｓ２のＹｅｓ）、工程Ｓ３に進む。
【０１９１】
（工程Ｓ３）
次に、第２輪転印刷ユニット１０ｂの見当制御装置（第２見当制御装置）３０は、輪転印刷見当マーク８ａと輪転印刷見当マーク８ｂとの相対的な位置関係が設定範囲内かを判定する。
【０１９２】
そして、設定範囲内と判定した場合には（工程Ｓ３のＹｅｓ）見当制御を終了する。一方、設定範囲外と判定した場合には（工程Ｓ３のＮｏ）、工程Ｓ４に進む。これら工程Ｓ２と工程Ｓ３の過程は版胴１１ｂが１回転する度に繰り返し行われる。
【０１９３】
（工程Ｓ４）
次に、輪転印刷見当マーク８ａと８ｂとの相対的な位置関係が設定範囲外であった場合は、コンペンセータローラ１４ｂを上下方向に移動させて、シートＷの経路長を調整することにより、輪転印刷見当マーク８ａと８ｂとの位置ずれ量を調整するよう指示する。その後、工程２に戻り、上述した見当制御が繰り返される。
【０１９４】
上述では、圧胴１２ａ、１２ｂ、１２ｃを同時に下ろす例について説明したが、ばらばらに下ろすようにしてもよい。
【０１９５】
第２−１実施形態の変形例では、一番下流側の輪転印刷ユニット１０ｃで付与される輪転印刷見当マーク、つまり、輪転印刷見当マーク８ｃを基準としている。輪転印刷をグラビア印刷とする場合、上流側の輪転印刷ユニット１０ａから下流側の輪転印刷ユニットに向かって順次濃い色を印刷するように構成される。つまり、上流側の輪転印刷ユニット１０ａで付与される輪転印刷見当マーク８ａに比べて、下流側の輪転印刷ユニット１０ｃで付与される輪転印刷見当マーク８ｃのほうが濃い色で印刷される。そのため、下流側の輪転印刷ユニット１０ｃで付与される輪転印刷見当マーク８ｃをトリガーとすることにより、基準となる輪転印刷見当マーク８ｃを確実に検出するようにすることができる。
【０１９６】
＜２−２実施形態＞
次に本発明による２−２実施形態について説明する。すなわち印刷機および印刷物の印刷方法は、上記の態様に限定されるものではなく、様々の変更を加えることができる。
【０１９７】
図１７は、本発明による第２−２実施形態の印刷機の側面図である。また、図１８は、第２−２実施形態の印刷機の印刷部の概略を示す平面図である。第２−２実施形態の印刷機は、版胴の一回転信号をインクジェット印字見当マーク７を印刷するときのトリガーとする点で、第２−１実施形態の印刷機とは異なるが、他の構成は図７乃至図１６に示す第２−１実施形態と略同一である。図１７乃至図２０に示す第２−２実施形態において、図７乃至図１６に示す第２−１実施形態と同一部分には同一符号を付して詳細な説明は省略する。
【０１９８】
図１７乃至図２０に示すように、輪転印刷ユニット１０ａ、１０ｂ、１０ｃの各版胴１１ａ、１１ｂ、１１ｃは、それぞれシャフト５１に取り付けられており、各シャフト５１にはギア５４が取り付けられている。また、シャフト５１には、各ギア５４に嵌合するように３つのギア５３が取り付けられ、最も上流側にエンコーダ５２が取り付けられ、最も下流側に駆動モータ１７が取り付けられている。ラインシャフト５０を駆動モータ１７で駆動することにより、各版胴１１ａ、１１ｂ、１１ｃが同期して回転駆動するようになっている。そして、各版胴１１ａ、１１ｂ、１１ｃが回転すると、エンコーダ５２を介して版胴の一回転信号をインクジェット印字部４０ａのプリンタ制御部４２に入力するように構成されている。
【０１９９】
なお、上述では、シャフト５１の最も上流側にエンコーダ５２を取り付け、最も下流側に駆動モータ１７が取り付ける例を説明したが、エンコーダ５２および駆動モータ１７の位置はこれに限られない。
【０２００】
また、上述では、エンコーダ５２を介して版胴の一回転信号をインクジェット印字部４０ａのプリンタ制御部４２に入力する例を説明したが、エンコーダ５２を設けず、シャフトにドグを設け、検出センサでドグの位置を検出して、版胴一回転信号をインクジェット印字部４０ａのプリンタ制御部４２に入力するようにしてもよい。
【０２０１】
図１９は、固定情報と可変情報と見当マークが形成されたシート材（印刷対象物）Ｗを示す図、図２０は、固定情報と可変情報と見当マークが形成されたシート材Ｗの第２変形例を示す図である。
【０２０２】
図１９に示すように、輪転印刷見当マーク８ａ、８ｂ、８ｃとインクジェット印字見当マーク７は、同列でなく、異なる列に設けてもよい。
【０２０３】
また、輪転印刷見当マーク８ａ、８ｂ、８ｃと、インクジェット印字見当マーク７をシート材Ｗの異なる面に設けるようにしてもよい。例えば、図２０に示すように、シート材Ｗの表側に輪転印刷見当マーク８ａ、８ｂ、８ｃおよび固定情報８０を設け、裏側にインクジェット印字見当マーク７および可変情報９を設けてもよい。
【０２０４】
また、上述では、シート材Ｗの搬送方向における見当マークの位置ずれを制御する例を示したが、印刷機にサイドレモータを設けて版胴１１ａ、１１ｂ、１１ｃを幅方向に移動するようにし、シート材の幅方向における見当マークの位置ずれを制御するようにしてもよい。
【０２０５】
また、上述では、見当マーク位置ずれ調整手段として機能する経路長調整手段として、コンペンセータ方式を説明したが、見当マーク位置ずれ調整手段としてはセクショナルドライブ方式を用いてもよい。この場合には、図８に示したコンペンセータローラ１４ａ、１４ｂ、１４ｃおよびコンペン駆動モータ１６は設けられず、版胴１１ａ、１１ｂ、１１ｃはそれぞれ対応する駆動モータに接続される。このため、各版胴１１ａ、１１ｂ、１１ｃを個別に回転させることができ、駆動モータの回転速度を調整することにより見当マークの位置ずれを調整することができる。
【０２０６】
あるいはまた、見当マーク位置ずれ調整手段として、インクジェット印字装置中に印字タイミング調整手段を設け、この印字タイミング調整手段により見当マークの位置ずれを調整してもよい。
【０２０７】
また、インフィードユニット２０のインフィールドローラ２１と圧胴２３は、インクジェット印字ユニット４０ａの上流側の配置に限定されず、インクジェット印字ユニット４０ａと最も上流側の第１の輪転印刷ユニット１０ａとの間に配置されていてもよい（図５参照）。
【０２０８】
また、図８に示すようにインクジェット印字ユニット４０ａの上流側にインフィールドユニット２０を設置するとともに、インクジェット印字ユニット４０ａの下流に、更にインフィードロール２１と圧胴２３を追加して配置してもよい。このことにより、シート材Ｗの蛇行を防止することができるので、印字ユニット４０ａにおいて、プリントヘッド４１からインクをシート材Ｗに向けて噴射して見当マークをシート材Ｗに印字する際、シート材Ｗの幅方向Ｘの見当の精度が向上することができる点で好ましい。
【０２０９】
また図８において、インクジェット印字装置４０と輪転印刷ユニット１０ａとの間にターンバー４５を設けた例を示したが、このようなターンバー４５はシート材Ｗを反転させるものである。
【０２１０】
このようなターンバー４５は図２７に示すように第１ターンローラ４５ａと、第２ターンローラ４５ｂと、第３ターンローラ４５ｃとを有する。
【０２１１】
図２７においてシート材Ｗは表面Ｗａを上方に向けて第１ターンローラ４５ａに入り、第１ターンローラ４５ａでシート材Ｗが反転して裏面Ｗｂを上方に向けて第２ターンローラ４５ｂに入る。次にシート材Ｗは第２ターンローラ４５ｂで反転し、表面Ｗａを上方に向けて第３ターンローラ４５ｃに入り、第３ターンローラ４５ｃでシート材Ｗは再び反転し、裏面Ｗｂを上方へ向けてターンバー４５から出していくようになっている。
【０２１２】
なお、このようなターンバー４５を、図１に示すインクジェット印字装置４０とグラビア印刷ユニット１０ａとの間に設け、このターンバー４５によってシート材Ｗを反転させてもよい。また第１ターンローラ４５ａ、第２ターンローラ４５ｂおよび第３ターンローラ４５ｃとしては、シート材Ｗと接触あるいは非接触のローラを用いることができ、また回転ローラあるいは非回転ローラを用いることができる。
＜３−１実施形態＞
次に図２１（ａ）（ｂ）（ｃ）乃至図２３により、本発明の第３−１実施形態について説明する。第３−１実施形態は、第１−１〜第１−３実施形態において、インクジェット印字装置４０の上流側にシート材（印刷対象物）Ｗに対して参照マーク８１を付与する参照マーク付与部８４を設けたものである。
【０２１３】
ここで参照マーク８１は印刷対象物Ｗの余白に後述する版胴１１ａの周長単位で等間隔で設けられている。
【０２１４】
第３−１実施形態において、図１乃至図２０に示す第１−１実施形態〜第１−３実施形態と同一部分には同一符号を付して詳細な説明は省略する。なお、第３−１実施形態では、輪転印刷ユニットとしてグラビア印刷ユニットを用いる例を説明するが、輪転印刷ユニットとして、オフセット印刷ユニット、フレキソ印刷ユニットなどを用いるようにしてもよい。
【０２１５】
図２１（ａ）（ｂ）（ｃ）乃至図２３に示すように、インクジェット印字装置４０の上流側に、このインクジェット印字装置４０とは別体に、シート材Ｗを給紙する送りローラ８２と、シート材Ｗを巻取る巻取ローラ８３が設けられ、この送りローラ８２と巻取ローラ８３との間にシート材Ｗに対して参照マーク８１を形成する参照マーク付与部８４が設けられている。なお、図２２（ａ）は、図１の印刷機の主要な部分以外を省略して図示した図である。
【０２１６】
次にこのような構成からなる本実施の形態の作用について図２３により説明する。
【０２１７】
まず送りローラ８２から単層体または積層体からなるシート材Ｗが給紙され、このシート材Ｗに対して参照マーク付与部８４により参照マーク８１が形成される（図２１（ａ）（ｂ）（ｃ）参照）。以下の例では、参照マーク付与部８４がロータリダイカッタなどの打抜加工部からなる例について説明するが、参照マーク付与部８４を参照マーク印刷部からなるようにしてもよい。参照マーク付与部８４が打抜加工部からなる場合、図２１（ｂ）（ｃ）に示すように、シート材Ｗに略三角形状の参照マーク８１が、シート材Ｗを貫通して形成される。
【０２１８】
参照マーク８１が形成されたシート材Ｗは巻取ローラ８３により巻取られる。
【０２１９】
その後シート材Ｗを巻取った巻取ローラ８３は給紙部１に設置されて、給紙部１の送りローラ４となる。
【０２２０】
その後送りローラ４からシート材Ｗが送られ、シート材Ｗはインクジェット印字装置４０へ入る（Ｓ１）。この際、シート材の参照マーク８１が参照マーク検出部８３Ａにより検出され、参照マーク検出部８３Ａからの検出信号がインクジェット印字装置４０へ送られる。次にこの参照マーク８１に基づいて、インクジェット印字装置４０によりインクジェット印字見当マーク７が印字される（Ｓ２）（図２２（ａ）（ｂ）（ｃ）参照）。
【０２２１】
この場合、インクジェット印字装置４０により、シート材Ｗにインクジェット印字見当マーク７が印字される。また、図２２（ｂ）に示すように、印刷領域６の１つ１つに連続番号、製造日付、製造ロット番号等の可変情報９を印字してもよい。なお、可変情報９は、印刷対象物Ｗの余白に設けるようにしてもよい。
【０２２２】
次に上述した第１−１実施形態〜第１−３実施形態と同様に、グラビア印刷ユニットの版胴１１ａにより印刷領域６に絵柄、文字、図形、記号、番号などの輪転印刷画像部が印刷され、さらに輪転印刷見当マーク８ａが印刷される。一つの輪転印刷画像部で絵柄、文字、図形、記号、番号を構成してもよいし、複数の輪転印刷画像部を重ね合せて絵柄、文字、図形、記号、番号を構成してもよい。
【０２２３】
その後、例えば版胴１１ａにより印刷された第１色目の輪転印刷見当マーク８ａと、インクジェット印字見当マーク７が見当マーク検出センサ１５ａにより検出される（Ｓ３）。
【０２２４】
第１色目の輪転印刷見当マーク８ａとインクジェット印字見当マーク７との間の位置関係が設定範囲に入っていない場合（Ｓ４）、見当マーク検出センサ１５ａからの検出信号に基づいて、見当制御装置３０（図２参照）によりコンペンセータローラ１４ａが駆動されて見当マーク位置ずれが調整される（Ｓ５）。参照マークを使用する場合、インクジェット印字見当マーク７と輪転印刷見当マーク８ａの位置ずれを調整するときに、インクジェット印字見当マーク７と輪転印刷見当マーク８ａのどちらを基準見当マークとしてもよい。
【０２２５】
他方、第１色目の輪転印刷見当マーク８ａとインクジェット印字見当マーク７との間の位置関係が設定範囲に入っている場合、見当マーク検出センサ１５ａからの検出信号に基づいて見当制御装置３０による調整は行なわれることはなく、見当マーク位置ずれ調整は終了する。
【０２２６】
さらに、輪転印刷見当マーク８ｂと、インクジェット印字見当マーク７が検出され、輪転印刷見当マーク８ｂとインクジェット印字見当マーク７との位置関係が設定範囲に入っていない場合、コンペンセータロール１４ｂが駆動されて見当マーク位置ずれが調整される。さらに、輪転印刷見当マーク８ｃと、インクジェット印字見当マーク７が検出され、輪転印刷見当マーク８ｃとインクジェット印字見当マーク７との位置関係が設定範囲に入っていない場合、コンペンセータロール１４ｃが駆動されて見当マーク位置ずれが調整される。なお、上述の例では、インクジェット印字見当マーク７を基準見当マークとして、輪転印刷見当マーク８ｂや輪転印刷見当マーク８ｃとの位置ずれを調整したが、輪転印刷見当マーク８ａを基準見当マークとして、輪転印刷見当マーク８ｂおよび輪転印刷見当マーク８ｃとの位置ずれを調整するようにしてもよい。
【０２２７】
このように本実施の形態によれば、インクジェット印字装置４０の上流側に参照マーク付与部８４を設け、この参照マーク付与部８４によりインクジェット印字見当マーク７を印字するためのトリガーとなる参照マーク８１を設けることができるので、この参照マーク８１を用いてインクジェット印字装置４０により精度良くインクジェット印字見当マーク７を印字することができる。さらに、複数の輪転印刷画像部を重ね合せて絵柄、文字、図形、記号、番号が構成される場合、インクジェット印字見当マーク７を用いて複数の輪転印刷画像部の見当合わせを精度良く行うことができる。
【０２２８】
＜３−２実施形態＞
次に図２４（ａ）（ｂ）乃至図２５（ａ）（ｂ）により本発明の第３−２実施形態について説明する。
【０２２９】
図２１（ａ）（ｂ）（ｃ）乃至図２３に示す第３−１実施形態において、シート材Ｗに打抜加工部からなる参照マーク付与部８４を用いて参照マーク８１を形成する例を示したが、例えば図２４乃至図２５（ａ）（ｂ）に示すようにシート材Ｗの少なくとも一層、例えば基材層Ｗ１を送りローラ８２から繰り出し、基材層Ｗ１に打抜加工部からなる参照マーク付与部８４により参照マーク８１を形成して巻取ローラ８３に巻取ってもよい。なお基材層Ｗ１としては紙層以外にプラスチック基材層などを用いることができる。
【０２３０】
次に巻取ローラ８３から参照マーク８１が形成された基材層Ｗ１が繰り出され（図２５（ａ）参照）、基材層Ｗ１上にアルミ層積層部８６により追加層となるアルミ層Ｗ２が積層され、次に押出ユニット（積層部）８７、８８により基材層Ｗ１上およびアルミ層Ｗ２上に追加層となる樹脂層Ｗ３およびＷ４が順次積層される（図２５（ｂ）参照）。
【０２３１】
このようにして基材層Ｗ１と、アルミ層Ｗ２と、樹脂層Ｗ３、Ｗ４とを有する積層体からなるシート材Ｗが得られる。このようにして得られたシート材Ｗは巻取ローラ８５に巻取られる。
【０２３２】
その後、上述と同様にして巻取ローラ８５は給紙部１に設置されて給紙部１の送りローラ４となる。
【０２３３】
その後送りローラ４からシート材Ｗが送られてインクジェット装置４０へ入る。
【０２３４】
なお、上記実施形態において、シート材Ｗが参照マーク８１を有する基材層Ｗ１と、アルミ層Ｗ２と、樹脂層Ｗ３、Ｗ４とを有する例を示したが、これに限らず、シート材Ｗは参照マーク８１を有する基材層Ｗ１と、アルミ層Ｗ２と、樹脂層Ｗ４とを有していてもよい（図２５（ｃ）参照）。また、シート材Ｗは参照マーク８１を有する基材層Ｗ１と、樹脂層Ｗ３、Ｗ４とを有していてもよい（図２５（ｄ）参照）。
【０２３５】
＜３−３実施形態＞
次に図２１，図２２および図２６により、本発明の第３−３実施形態について説明する。第３−３実施形態は、第１−１〜１−３実施形態において、インクジェット印刷装置４０の上流側にシート材（印刷対象物）Ｗに対して参照マーク８１を付与する参照マーク付与部８４を設けたものである。
【０２３６】
第３−３実施形態において、図１乃至図６に示す第１−１実施形態〜第１−３実施形態と同一部分には同一符号を付して詳細な説明は省略する。なお、第３−３実施形態では、輪転印刷ユニットとしてグラビア印刷ユニットを用いる例を説明するが、輪転印刷ユニットとして、オフセット印刷ユニット、フレキソ印刷ユニットなどを用いるようにしてもよい。
【０２３７】
図２１，図２２および図２６に示すように、インクジェット印字装置４０の上流側に、このインクジェット印字装置４０とは別体に、シート材Ｗを給紙する送りローラ８２と、シート材Ｗを巻取る巻取ローラ８３とが設けられ、この送りローラ８２と巻取ローラ８３との間にシート材Ｗに対して参照マーク８１を形成する参照マーク付与部８４が設けられている。
【０２３８】
ここで参照マーク８１は印刷対象物Ｗの余白に後述する版胴１１ａの周長単位で等間隔で設けられている。あるいは等間隔で配置された複数の参照マークを所定のスペースを置いて順次配置する所望の配置パターンをもって参照マーク８１を設けてもよい。
【０２３９】
次にこのような構成からなる本実施の形態の作用について図２６により説明する。
【０２４０】
まず送りローラ８２から単層体または積層体からなるシート材Ｗが給紙され、このシート材Ｗに対して参照マーク付与部８４により参照マーク８１が形成される（図２１（ａ）（ｂ）（ｃ）参照）。以下の例では、参照マーク付与部８４がロータリダイカッタなどの打抜加工部からなる例について説明するが、参照マーク付与部８４を参照マーク印刷部からなるようにしてもよい。参照マーク付与部８４が打抜加工部からなる場合、図２１（ｂ）（ｃ）に示すように、シート材Ｗに略三角形状の参照マーク８１が、シート材Ｗを貫通して形成される。
【０２４１】
参照マーク８１が形成されたシート材Ｗは巻取ローラ８３により巻取られる。
【０２４２】
その後シート材Ｗを巻取った巻取ローラ８３は給紙部１に設置されて、給紙部１の送りローラ４となる。
【０２４３】
その後送りローラ４からシート材Ｗが送られ、シート材Ｗはインクジェット装置４０へ入る（Ｓ１）。この際、シート材の参照マーク８１が参照マーク検出部８３Ａにより検出され、参照マーク検出部８３Ａからの検出信号がインクジェット印字装置４０へ送られる。次にこの参照マーク８１に基づいて、インクジェット印字装置４０により連続番号、製造日付、製造ロット番号等の可変情報９が印字される（Ｓ２）（図２２（ａ）（ｂ）参照）。可変情報９は、図２２（ｂ）に示すように、印刷領域６の１つ１つに印字することができる。また、図２２（ｂ）に示すように、印刷対象物Ｗの余白にインクジェット印字見当マーク７を印字してもよい。
【０２４４】
次に上述した第１−１実施形態〜第１−３実施形態と同様に、グラビア印刷ユニットの版胴１１ａにより印刷領域６に絵柄、文字、図形、記号、番号などの輪転印刷画像部が印刷され、さらに輪転印刷見当マーク８ａが印刷される。一つの輪転印刷画像部で絵柄、文字、図形、記号、番号を構成してもよいし、複数の輪転印刷画像部を重ね合せて絵柄、文字、図形、記号、番号を構成してもよい。
【０２４５】
その後、例えばグラビア印刷ユニット１０ａの版胴１１ａにより印刷された第１色目の輪転印刷見当マーク８ａと、参照マーク８１が見当マーク検出センサ１５ａにより検出される（Ｓ３）。
【０２４６】
第１色目の輪転印刷見当マーク８ａと参照マーク８１との間の位置関係が設定範囲に入っていない場合、見当マーク検出センサ１５ａからの検出信号に基づいて、見当制御装置３０（図２参照）によりコンペンセータローラ１４ａが駆動されて見当マーク位置ずれが調整される。参照マークを使用する場合、輪転印刷見当マーク８ａと参照マーク８１の位置ずれを調整するときに、輪転印刷見当マーク８ａと参照マーク８１のどちらを基準見当マークとしてもよい。
【０２４７】
他方、第１色目の輪転印刷見当マーク８ａと参照マーク８１との間の位置関係が設定範囲に入っている場合、見当マーク検出センサ１５ａからの検出信号に基づいて見当制御装置３０による調整は行なわれることはなく、見当マーク位置ずれ調整は終了する。
【０２４８】
さらに、輪転印刷見当マーク８ｂと、参照マーク８１が検出され、輪転印刷見当マーク８ｂと参照マーク８１との位置関係が設定範囲に入っていない場合、コンペンセータロール１４ｂが駆動されて見当マーク位置ずれが調整される。さらに、輪転印刷見当マーク８ｃと、参照マーク８１が検出され、輪転印刷見当マーク８ｃと参照マーク８１との位置関係が設定範囲に入っていない場合、コンペンセータロール１４ｃが駆動されて見当マーク位置ずれが調整される。なお、上述の例では、参照マーク８１を基準見当マークとして、輪転印刷見当マーク８ｂや輪転印刷見当マーク８ｃとの位置ずれを調整したが、輪転印刷見当マーク８ａを基準見当マークとして、輪転印刷見当マーク８ｂおよび輪転印刷見当マーク８ｃとの位置ずれを調整するようにしてもよい。
【０２４９】
このように本実施の形態によれば、インクジェット印字装置４０の上流側に参照マーク付与部８４を設け、参照マーク付与部８４により形成された参照マーク８１を用いて、可変情報９と輪転印刷画像部との見当合わせを精度良く行うことができる。
【０２５０】
＜変形例＞
次に上記第３−１〜第３−３実施形態の変形例を示す。
上記第３−１〜第３−３実施形態において、参照マーク付与部８４を、インクジェット印字装置４０およびグラビア印刷ユニットの版胴１１ａ、１１ｂ、１１ｃに対してオフラインで設けた例を示したが、これに限らず参照マーク付与部８４を、インクジェット印字装置４０およびグラビア印刷ユニットの版胴１１ａ、１１ｂ、１１ｃに対してインラインで設けてもよい。
＜本開示の内容＞
以下に、本開示の内容について、さらに述べる。
本開示は、前記インクジェット印字装置は、前記印刷対象物に対して可変情報を更に印字してもよい。
本開示は、印刷対象物に対してグラビア印刷を施す複数のグラビア印刷ユニットが設けられていてもよい。
本開示は、少なくとも１つのグラビア印刷ユニットは、前記インクジェット印字装置により印字された基準見当マークまたは可変情報の少なくともいずれかを保護するオーバープリント層を前記印刷対象物に付与してもよい。
本開示は、印刷対象物に対してインクジェット印字装置を用いて基準見当マークを印字する工程と、
前記基準見当マークが印字された印刷対象物に対してグラビア印刷ユニットの版胴によりグラビア印刷を施すとともに見当マークを前記印刷対象物に付与する工程と、
前記印刷対象物上の基準見当マークと、見当マークを前記グラビア印刷ユニットの見当マーク検出センサによりそれぞれ検出する工程と、
前記見当マーク検出センサにより検出された基準見当マークの位置と、見当マークの位置とのずれの大きさを見当制御装置により算出し、その算出された前記のずれの大きさに基づいて、見当マーク位置ずれ調整手段により印刷対象物の位置を調整する工程と、
を備えたことを特徴とする印刷方法である。
本開示は、前記印刷対象物に対して前記インクジェット印字装置を用いて可変情報を更に印字してもよい。
本開示は、複数のグラビア印刷ユニットにより印刷対象物に対してグラビア印刷を施してもよい。
本開示は、少なくとも１つのグラビア印刷ユニットは、前記インクジェット印字装置により印字された基準見当マークまたは可変情報の少なくともいずれかを保護するオーバープリント層を前記印刷対象物に付与してもよい。
本開示は、インクジェット印字装置と、前記インクジェット印字装置の下流側に設けられた輪転印刷ユニットと、を備えた印刷機であって、
前記インクジェット印字装置は、印刷対象物にインクジェット印字見当マークおよび可変情報を付与するプリントヘッドを備え、
前記輪転印刷ユニットは、輪転印刷見当マークおよび輪転印刷画像部を前記印刷対象物に付与する版胴と、
前記版胴の下流側に設けられ、前記印刷対象物上のインクジェット印字見当マークおよび輪転印刷見当マークを検出する見当マーク検出手段と、
見当マーク位置ずれ調整手段と、
前記インクジェット印字見当マークおよび基準となる前記輪転印刷見当マークの位置ずれ量を判定し、位置ずれが発生していた場合に前記見当マーク位置ずれ調整手段に位置ずれ量を制御するよう指示する見当制御手段とを有することを特徴とする印刷機である。
本開示は、前記インクジェット印字装置の下流側に複数の輪転印刷ユニットが設けられていてもよい。
本開示は、少なくとも１つの輪転印刷ユニットは、前記インクジェット印字装置により印字されたインクジェット印字見当マークまたは可変情報の少なくともいずれかを保護するオーバープリント層を前記印刷対象物に付与してもよい。
本開示は、輪転印刷画像部から形成される固定情報と、可変情報を有する印刷物の印刷方法であって、
印刷対象物に輪転印刷ユニットの版胴により輪転印刷見当マークおよび前記輪転印刷画像部を印刷する工程と、
その輪転印刷見当マークを見当マーク検出手段により検出し、この見当マーク検出手段からの信号に基づいてインクジェット印刷装置によりインクジェット印字見当マークおよび可変情報を前記印刷対象物に付与する工程と、
前記輪転印刷見当マークと前記インクジェット印字見当マークを輪転印刷ユニットの見当マーク検出センサによりそれぞれ検出する工程と、
前記見当マーク検出センサにより検出された基準となる輪転印刷見当マークと、前記インクジェット印字見当マークとのずれの大きさを第１見当制御装置により算出し、その算出された前記のずれの大きさに基づいて、第１見当マーク位置ずれ調整手段により印刷対象物の位置を調整する工程と、を備えたことを特徴とする印刷方法である。
本開示は、印刷対象物に複数の輪転印刷ユニットの版胴により複数の輪転印刷見当マークおよび複数の前記輪転印刷画像部を印刷するとともに、
複数の前記輪転印刷見当マークのうち基準となる輪転印刷見当マークを選択し、選択された基準となる前記輪転印刷見当マークと他の輪転印刷見当マークを複数の輪転印刷ユニットのうち下流側の輪転印刷ユニットの見当マーク検出センサによりそれぞれ検出する工程と、
前記見当マーク検出センサにより検出された基準となる輪転印刷見当マークと、他の見当マークとのずれの大きさを第２見当制御装置により算出し、その算出された前記のずれの大きさに基づいて、第２見当マーク位置ずれ調整手段により印刷対象物の位置を調整する工程と、を備えていてもよい。
本開示は、少なくとも１つの輪転印刷ユニットは、前記インクジェット印字装置により印字されたインクジェット印字見当マークまたは可変情報の少なくともいずれかを保護するオーバープリント層を前記印刷対象物に付与してもよい。
本開示は、輪転印刷画像部から形成される固定情報と、可変情報を有する印刷物の印刷方法であって、
印刷対象物に輪転印刷ユニットの版胴により輪転印刷見当マークおよび前記輪転印刷画像部を印刷する工程と、
前記輪転印刷ユニットの版胴からの回転信号をインクジェット印字装置に入力し、このインクジェット印字装置によりインクジェット印字見当マークおよび可変情報を前記印刷対象物に付与する工程と、
前記輪転印刷見当マークと前記インクジェット印字見当マークを輪転印刷ユニットの見当マーク検出センサによりそれぞれを検出する工程と、
前記見当マーク検出センサにより検出された基準となる輪転印刷見当マークと、前記インクジェット印字見当マークとのずれの大きさを第１見当制御装置により算出し、その算出された前記のずれの大きさに基づいて、第１見当マーク位置ずれ調整手段により印刷対象物の位置を調整する工程と、を備えたことを特徴とする印刷方法である。
本開示は、印刷対象物に複数の輪転印刷ユニットにより複数の輪転印刷見当マークおよび複数の前記輪転印刷画像部を印刷するとともに、
複数の前記輪転印刷見当マークのうち基準となる輪転印刷見当マークを選択し、選択された基準となる前記輪転印刷見当マークと他の輪転印刷見当マークを複数の輪転印刷ユニットのうち下流側の輪転印刷ユニットの見当マーク検出センサによりそれぞれ検出する工程と、
前記見当マーク検出センサにより検出された基準となる輪転印刷見当マークと、他の見当マークとのずれの大きさを第２見当制御装置により算出し、その算出された前記のずれの大きさに基づいて、第２見当マーク位置ずれ調整手段により印刷対象物の位置を調整する工程と、を備えていてもよい。
本開示は、少なくとも１つの輪転印刷ユニットは、前記インクジェット印字装置により印字されたインクジェット印字見当マークまたは可変情報の少なくともいずれかを保護するオーバープリント層を前記印刷対象物に付与してもよい。
本開示は、前記インクジェット印字装置と前記グラビア印刷ユニットとの間に、印刷対象物を反転させるターンバーを設けていてもよい。
本開示は、前記インクジェット印字装置と前記輪転印刷ユニットとの間に、印刷対象物を反転させるターンバーを設けていてもよい。
本開示は、印刷対象物に対して参照マークを付与する参照マーク付与部と、
前記印刷対象物に対してインクジェット印字見当マークを印字するインクジェット印字装置と、
前記インクジェット印字見当マークが印字された印刷対象物に対して輪転印刷画像部および輪転印刷見当マークを前記印刷対象物に付与する輪転印刷ユニットとを備え、
前記輪転印刷ユニットは、印刷対象物に対して輪転印刷画像部および輪転印刷見当マークを付与する版胴と、印刷対象物上のインクジェット印字見当マークと、輪転印刷見当マークをそれぞれ検出する見当マーク検出センサと、印刷対象物の位置を調整する見当マーク位置ずれ調整手段と、前記見当マーク検出センサにより検出されたインクジェット印字見当マークの位置と、輪転印刷見当マークの位置とのずれの大きさを算出し、この算出されたずれ量に基づいて前記見当マーク位置ずれ調整手段を制御する見当制御装置と、
を備えたことを特徴とする印刷機である。
本開示は、前記参照マーク付与部は、印刷対象物に対して印刷により参照マークを付与する参照マーク印刷部からなっていてもよい。
本開示は、前記参照マーク付与部は、印刷対象物に対して打抜加工により参照マークを付与する打抜加工部からなっていてもよい。
本開示は、前記参照マーク付与部は、印刷対象物の少なくとも一層に対して打抜加工を施して参照マークを付与する打抜加工部からなり、
打抜加工部とインクジェット印字装置との間に、印刷対象物の打抜加工が施された一層上に追加層を積層する積層部を設けてもよい。
本開示は、前記参照マーク付与部と前記インクジェット印字装置との間に参照マークを検出する参照マーク検出部を設け、この検出信号に基づいてインクジェット印字見当マークを印字してもよい。
本開示は、印刷対象物に対して参照マーク付与部により参照マークを付与する工程と、
前記印刷対象物に対してインクジェット印字装置を用いてインクジェット印字見当マークを印字する工程と、
前記インクジェット印字見当マークが印字された印刷対象物に対して輪転印刷ユニットの版胴により輪転印刷画像部および輪転印刷見当マークを前記印刷対象物に付与する工程と、
前記印刷対象物上のインクジェット印字見当マークと、輪転印刷見当マークを前記輪転印刷ユニットの見当マーク検出センサによりそれぞれ検出する工程と、
前記見当マーク検出センサにより検出されたインクジェット印字見当マークの位置と、輪転印刷見当マークの位置とのずれの大きさを見当制御装置により算出し、その算出された前記のずれの大きさに基づいて、見当マーク位置ずれ調整手段により印刷対象物の位置を調整する工程と、
を備えたことを特徴とする印刷方法である。
本開示は、前記参照マーク付与部により印刷対象物に付された参照マークを参照マーク検出部により検出し、この検出信号に基づいてインクジェット印字見当マークを印字してもよい。
本開示は、印刷対象物に対して参照マークを付与する参照マーク付与部と、前記参照マーク付与部の下流側に設けられたインクジェット印字装置と、前記インクジェット印字装置の下流側に設けられた輪転印刷ユニットと、を備えた印刷機であって、
前記インクジェット印字装置は、前記参照マークを参照マーク検出部により検出し、この信号に基づいて印刷対象物に可変情報を付与するプリントヘッドを備え、
前記輪転印刷ユニットは、輪転印刷見当マークおよび輪転印刷画像部を前記印刷対象物に付与する版胴と、
前記印刷対象物上の参照マークおよび輪転印刷見当マークを検出する見当マーク検出手段と、
見当マーク位置ずれ調整手段と、
前記参照マークおよび前記輪転印刷見当マークの位置ずれ量を判定し、位置ずれが発生していた場合に前記見当マーク位置ずれ調整手段に位置ずれ量を制御するよう指示する見当制御手段とを備えたことを特徴とする印刷機である。
本開示は、輪転印刷画像部から形成される固定情報と、可変情報を有する印刷物の印刷方法であって、
印刷対象物に対して参照マークを付与する参照マーク付与工程と、
前記参照マークを参照マーク検出部により検出し、この信号に基づいてインクジェット印刷装置により可変情報を前記印刷対象物に付与する工程と、
印刷対象物に輪転印刷ユニットの版胴により輪転印刷見当マークおよび前記輪転印刷画像部を印刷する工程と、
前記輪転印刷見当マークと前記参照マークを見当マーク検出センサによりそれぞれ検出する工程と、
前記見当マーク検出センサにより検出された輪転印刷見当マークと、前記参照見当マークとのずれの大きさを見当制御装置により算出し、その算出された前記のずれの大きさに基づいて、見当マーク位置ずれ調整手段により印刷対象物の位置を調整する工程と、を備えたことを特徴とする印刷方法である。
【符号の説明】
【０２５１】
１  給紙部
２  印刷部
３  巻取部
４  送りローラ
５  巻取ローラ
６  印刷領域
７  見当マーク
８ａ  見当マーク
８ｂ  見当マーク
８ｃ  見当マーク
９  可変情報
１０ａ  グラビア印刷ユニット
１０ｂ  グラビア印刷ユニット
１０ｃ  グラビア印刷ユニット
１１ａ、１１ｂ、１１ｃ  版胴
１２ａ、１２ｂ、１２ｃ、２３  圧胴
１４ａ、１４ｂ、１４ｃ  コンペンセータローラ
１５ａ、１５ｂ、１５ｃ、１５ｉ  見当マーク検出センサ
１６  コンペン駆動モータ
１７  サイドレモータ
２０  インフィードユニット
２１  インフィードローラ
２２  ダンサーローラ
３０  見当制御装置
３１  入力部
３２  見当コントローラ
４０ａ  インクジェット印字ユニット
４０  インクジェット印字装置
４１  プリントヘッド
４２  プリンタ制御部
４３  乾燥機
４５  ターンバー
５０  ラインシャフト
５１  シャフト
５２  エンコーダ
５３  ギア
５４  ギア
７０ａ  第１輪転印刷画像部
７０ｂ  第２輪転印刷画像部
７０ｃ  第３輪転印刷画像部
８０  固定情報
８１  参照マーク
８３Ａ  参照マーク検出部
８４  参照マーク付与部
Ｗ  印刷対象物
Ｖ  流れ方向
Ｘ  幅方向
【図１】
2019142232.tif 000003
【図２】
2019142232.tif 000004
【図３】
2019142232.tif 000005
【図４】
2019142232.tif 000006
【図５】
2019142232.tif 000007
【図６】
2019142232.tif 000008
【図７】
2019142232.tif 000009
【図８】
2019142232.tif 000010
【図９】
2019142232.tif 000011
【図１０】
2019142232.tif 000012
【図１１】
2019142232.tif 000013
【図１２】
2019142232.tif 000014
【図１３】
2019142232.tif 000015
【図１４】
2019142232.tif 000016
【図１５】
2019142232.tif 000017
【図１６】
2019142232.tif 000018
【図１７】
2019142232.tif 000019
【図１８】
2019142232.tif 000020
【図１９】
2019142232.tif 000021
【図２０】
2019142232.tif 000022
【図２１】
2019142232.tif 000023
【図２２】
2019142232.tif 000024
【図２３】
2019142232.tif 000025
【図２４】
2019142232.tif 000026
【図２５】
2019142232.tif 000027
【図２６】
2019142232.tif 000028
【図２７】
2019142232.tif 000029
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
印刷対象物に対して基準見当マークを印字するインクジェット印字装置と、
前記基準見当マークが印字された印刷対象物に対してグラビア印刷を施すとともに見当マークを前記印刷対象物に付与するグラビア印刷ユニットとを備え、
前記グラビア印刷ユニットは、印刷対象物に対してグラビア印刷を施す版胴と、印刷対象物上の基準見当マークと、見当マークをそれぞれ検出する見当マーク検出センサと、前記印刷対象物の位置を調整する見当マーク位置ずれ調整手段と、前記見当マーク検出センサにより検出された基準見当マークの位置と、見当マークの位置とのずれの大きさを算出し、この算出されたずれ量に基づいて前記見当マーク位置ずれ調整手段を制御する見当制御装置と、
を備え、
前記インクジェット印字装置は、前記印刷対象物に対して可変情報を更に印字し、
前記可変情報は、連続番号、製造日付、製造ロット番号、ＱＲコード（登録商標）の１種または２種以上を含むことを特徴とする印刷機。
【請求項２】
印刷対象物に対してインクジェット印字装置を用いて基準見当マークを印字する工程と、
前記基準見当マークが印字された印刷対象物に対してグラビア印刷ユニットの版胴によりグラビア印刷を施すとともに見当マークを前記印刷対象物に付与する工程と、
前記印刷対象物上の基準見当マークと、見当マークを前記グラビア印刷ユニットの見当マーク検出センサによりそれぞれ検出する工程と、
前記見当マーク検出センサにより検出された基準見当マークの位置と、見当マークの位置とのずれの大きさを見当制御装置により算出し、その算出された前記のずれの大きさに基づいて、見当マーク位置ずれ調整手段により印刷対象物の位置を調整する工程と、
を備え、
前記印刷対象物に対して前記インクジェット印字装置を用いて可変情報を更に印字し、
前記可変情報は、連続番号、製造日付、製造ロット番号、ＱＲコード（登録商標）の１種または２種以上を含むことを特徴とする印刷方法。
【請求項３】
輪転印刷画像部から形成される固定情報と、可変情報を有する印刷物の印刷方法であって、
印刷対象物に輪転印刷ユニットの版胴により輪転印刷見当マークおよび前記輪転印刷画像部を印刷する工程と、
その輪転印刷見当マークを見当マーク検出手段により検出し、この見当マーク検出手段からの信号に基づいて前記輪転印刷見当マークをトリガーとしてインクジェット印字装置によりインクジェット印字見当マークおよび可変情報を前記印刷対象物に付与する工程と、
前記輪転印刷見当マークと前記インクジェット印字見当マークを輪転印刷ユニットの見当マーク検出センサによりそれぞれ検出する工程と、
前記見当マーク検出センサにより検出された基準となる輪転印刷見当マークと、前記インクジェット印字見当マークとのずれの大きさを第１見当制御装置により算出し、その算出された前記のずれの大きさに基づいて、第１見当マーク位置ずれ調整手段により印刷対象物の位置を調整する工程と、を備えたことを特徴とする印刷方法。
【請求項４】
印刷対象物に複数の輪転印刷ユニットの版胴により複数の輪転印刷見当マークおよび複数の前記輪転印刷画像部を印刷するとともに、
複数の前記輪転印刷見当マークのうち基準となる輪転印刷見当マークを選択し、選択された基準となる前記輪転印刷見当マークと他の輪転印刷見当マークを複数の輪転印刷ユニットのうち下流側の輪転印刷ユニットの見当マーク検出センサによりそれぞれ検出する工程と、
前記見当マーク検出センサにより検出された基準となる輪転印刷見当マークと、他の見当マークとのずれの大きさを第２見当制御装置により算出し、その算出された前記のずれの大きさに基づいて、第２見当マーク位置ずれ調整手段により印刷対象物の位置を調整する工程と、を備えたことを特徴とする請求項３記載の印刷方法。
【請求項５】
少なくとも１つの輪転印刷ユニットは、前記インクジェット印字装置により印字されたインクジェット印字見当マークまたは可変情報の少なくともいずれかを保護するオーバープリント層を前記印刷対象物に付与することを特徴とする請求項４記載の印刷方法。